(57)【要約】  下記一般式（１）で表される染料および下記一般式（２）で表される染料からなる群より選択される少なくとも１種の染料を含む保護シート、眼鏡レンズおよびそれらの応用。一般式（１）中、Ｒ７１〜Ｒ７４は、それぞれ独立に、水素原子、アルキル基、アルコキシ基等を表す。一般式（２）中、Ｒ２１はアルキル基、アリール基、ヘテロ環基等を表し、Ｒ２２は水素原子、ハロゲン原子、アルキル基等を表し、Ｒ２１およびＲ２２のうち少なくとも１つは、炭素数４以上のアルキル基である。ｎは０または１を表し、ｍは１〜５の整数を表す。2017169370.tif 000035
2017169370.tif 000002
【特許請求の範囲】
【請求項１】
下記一般式（１）で表される染料および下記一般式（２）で表される染料からなる群より選択される少なくとも１種の染料を含む保護シート。
【化１】
2017169370.tif 000031
一般式（１）中、Ｒ７１、Ｒ７２、Ｒ７３およびＲ７４は、それぞれ独立に、水素原子、アルキル基、アルコキシ基、アルコキシカルボニル基、カルバモイル基、スルファモイル基、シアノ基、アリール基、またはヘテロアリール基を表す。
【化２】
2017169370.tif 000032
一般式（２）中、Ｒ２１はアルキル基、アリール基、ヘテロ環基、カルボキシル基、アルコキシカルボニル基、アリールオキシカルボニル基、カルバモイル基、またはシアノ基を表す。Ｒ２２は水素原子、ハロゲン原子、アルキル基、アルコキシ基、ヒドロキシ基、アミノ基、カルバモイル基、スルファモイル基、またはアルコキシカルボニル基を表す。Ｒ２２は、Ｒ２２が結合するベンゼン環と５員または６員の縮環を形成してもよい。
ｎは０または１を表し、ｍは１〜５の整数を表す。但し、Ｒ２１およびＲ２２の少なくとも１つは、炭素数４以上のアルキル基である。ｍが２〜５の場合、複数存在するＲ２２は同じであっても互いに異なっていてもよい。
【請求項２】
前記一般式（１）で表される染料および前記一般式（２）で表される染料からなる群より選択される少なくとも１種の染料は、極大吸収波長が４５０ｎｍ〜５００ｎｍの範囲にあり、前記極大吸収波長における可視光透過率が６０％未満である請求項１に記載の保護シート。
【請求項３】
透明支持体と、前記透明支持体の少なくとも一方の面に配置され、前記一般式（１）で表される染料および前記一般式（２）で表される染料からなる群より選択される少なくとも１種の染料を含む色素含有層と、を有する請求項１または請求項２に記載の保護シート。
【請求項４】
前記色素含有層は、前記一般式（１）で表される染料および前記一般式（２）で表される染料からなる群より選択される少なくとも１種の染料と、重合性化合物と、重合開始剤と、を含む硬化性組成物の硬化物である請求項３に記載の保護シート。
【請求項５】
前記色素含有層がさらに粘着剤を含む請求項３または請求項４に記載の保護シート。
【請求項６】
前記一般式（１）で表される染料および前記一般式（２）で表される染料からなる群より選択される少なくとも１種の染料とは異なる着色剤をさらに含む請求項１〜請求項５のいずれか１項に記載の保護シート。
【請求項７】
請求項１〜請求項６のいずれか１項に記載の保護シートを備える画像表示装置。
【請求項８】
下記一般式（１）で表される染料および下記一般式（２）で表される染料からなる群より選択される少なくとも１種の染料を含む眼鏡レンズ。
【化３】
2017169370.tif 000033
一般式（１）中、Ｒ７１、Ｒ７２、Ｒ７３およびＲ７４は、それぞれ独立に、水素原子、アルキル基、アルコキシ基、アルコキシカルボニル基、カルバモイル基、スルファモイル基、シアノ基、アリール基、またはヘテロアリール基を表す。
【化４】
2017169370.tif 000034
一般式（２）中、Ｒ２１はアルキル基、アリール基、ヘテロ環基、カルボキシル基、アルコキシカルボニル基、アリールオキシカルボニル基、カルバモイル基、またはシアノ基を表す。Ｒ２２は水素原子、ハロゲン原子、アルキル基、アルコキシ基、ヒドロキシ基、アミノ基、カルバモイル基、スルファモイル基、またはアルコキシカルボニル基を表す。Ｒ２２は、Ｒ２２が結合するベンゼン環と５員または６員の縮環を形成してもよい。
ｎは０または１を表し、ｍは１〜５の整数を表す。但し、Ｒ２１およびＲ２２の少なくとも１つは、炭素数４以上のアルキル基である。ｍが２〜５の場合、複数存在するＲ２２は同じであっても互いに異なっていてもよい。
【請求項９】
前記一般式（１）で表される染料および前記一般式（２）で表される染料からなる群より選択される少なくとも１種の染料は、極大吸収波長が４５０ｎｍ〜５００ｎｍの範囲にあり、前記極大吸収波長における可視光透過率が６０％未満である請求項８に記載の眼鏡レンズ。
【請求項１０】
透明レンズと、前記透明レンズの少なくとも一方の面に配置され、前記一般式（１）で表される染料および前記一般式（２）で表される染料からなる群より選択される少なくとも１種の染料を含む色素含有層と、を有する請求項８または請求項９に記載の眼鏡レンズ。
【請求項１１】
前記色素含有層は、前記一般式（１）で表される染料および前記一般式（２）で表される染料からなる群より選択される少なくとも１種の染料と、重合性化合物と、重合開始剤と、を含む硬化性組成物の硬化物である請求項１０に記載の眼鏡レンズ。
【請求項１２】
前記色素含有層がゾルゲル膜である請求項１０に記載の眼鏡レンズ。
【請求項１３】
透明レンズが、前記一般式（１）で表される染料および前記一般式（２）で表される染料からなる群より選択される少なくとも１種の染料を含む請求項８または請求項９に記載の眼鏡レンズ。
【請求項１４】
前記一般式（１）で表される染料および前記一般式（２）で表される染料からなる群より選択される少なくとも１種の染料とは異なる着色剤をさらに含む請求項８〜請求項１３のいずれか１項に記載の眼鏡レンズ。
【請求項１５】
請求項８〜請求項１４のいずれか１項に記載の眼鏡レンズを備える眼鏡。
【発明の詳細な説明】
【技術分野】
【０００１】
本開示は、保護シート、画像表示装置、眼鏡レンズおよび眼鏡に関する。
【背景技術】
【０００２】
陰極管表示装置、プラズマディスプレイ、エレクトロルミネッセンスディスプレイ、蛍光表示ディスプレイ、フィールドエミッションディスプレイ、液晶表示装置（Ｌｉｑｕｉｄ  Ｃｒｙｓｔａｌ  Ｄｉｓｐｌａｙ；ＬＣＤ）のような画像表示装置、或いは、タッチパネルを搭載したスマートフォン、タブレット端末等の各種ディスプレイでは、画像表示面への傷付きを防止するために、画像表示部表面に、樹脂を含む保護シートを設けることが行なわれている。
画像表示装置、小型端末等のディスプレイを備える装置を使用する際は、光源を備えるディスプレイの画面を目視することになる。近年、画像表示装置、タッチパネルを搭載した小型端末等を長時間使用する場合におけるブルーライトの網膜への影響が注目されている。波長４００ｎｍ〜５００ｎｍのブルーライトの影響を低減する目的で、ディスプレイ用保護シートでブルーライトを吸収させ、使用者の眼への影響を低減する試みがなされている。
また、別の対応として、光源を備えるディスプレイの画面を目視する際に装着する眼鏡レンズによってブルーライトを吸収させ、使用者の眼へのブルーライトによる影響を低減する試みがなされている。【０００３】
ブルーライトを吸収させる保護シートとしては、４００ｎｍ〜５００ｎｍに極大吸収波長を有する黄色の着色料を含有する保護シートが挙げられる。
例えば、黄色色素１００質量部に対して、２０質量部〜６０質量部の紫色色素を含有するブルーライトカット用樹脂組成物、およびブルーライトカット用樹脂組成物から形成された樹脂成形体が提案されている（例えば、特開２０１５−１７１５２号公報参照）。また、透明基材フィルムに色調補正層が積層され、色調補正層が波長３８０ｎｍ〜４９５ｎｍに吸収を有し、特定構造のオキソノール系メチン色素を含有する積層フィルムが提案されている（例えば、特開２０１５−８７６９０号公報参照）。
【発明の概要】
【発明が解決しようとする課題】
【０００４】
しかしながら、本発明者らの検討によれば、特開２０１５−１７１５２号公報に記載のブルーライトカット用樹脂組成物からなる保護フィルムでは、２種の異なる色相の色素を併用することが必須であり、含有される黄色色素および紫色色素に起因して紫外光領域における光は遮断しうる。しかし、可視光領域における青色光、即ち、ブルーライトの遮断効果が良好な波長である４８０ｎｍ近傍では十分な吸収は有さず、当該文献に記載の保護フィルムは、可視光領域のブルーライトを十分に遮断し得ないという課題がある。【０００５】
また、特開２０１５−８７６９０号公報に記載の積層フィルムにおいて用いられるオキソノール系メチン色素は、可視光領域におけるブルーライト遮断に有用な波長域に吸収を有する。しかし、既述の波長域における吸収曲線がブロードであり、極大吸収に対し、より長波長側の吸収をも有することから、積層フィルムの色相は赤みを帯びてしまうという課題がある。赤い色相は、目視にて視認されやすく、積層フィルムの色相が目視にて赤みを帯びることで、表示画像の色再現性が十分に得られないという問題がある。【０００６】
本発明の一実施形態が解決しようとする課題は、少なくとも可視光域のブルーライトを遮断することができ、表示画像等の色再現性が良好な保護シート、および保護シートを備える画像表示装置を提供することにある。
本発明の別の実施形態が解決しようとする課題は、少なくとも可視光域のブルーライトを遮断することができ、目視の対象である画像、物品等の色再現性が良好な眼鏡レンズ、および眼鏡レンズを備える眼鏡を提供することにある。
【課題を解決するための手段】
【０００７】
本開示は、以下の実施形態を含む。
＜１＞  下記一般式（１）で表される染料および下記一般式（２）で表される染料からなる群より選択される少なくとも１種の染料を含む保護シート。【０００８】
【化１】
2017169370.tif 000003
【０００９】
一般式（１）中、Ｒ７１、Ｒ７２、Ｒ７３およびＲ７４は、それぞれ独立に、水素原子、アルキル基、アルコキシ基、アルコキシカルボニル基、カルバモイル基、スルファモイル基、シアノ基、アリール基、またはヘテロアリール基を表す。【００１０】
【化２】
2017169370.tif 000004
【００１１】
一般式（２）中、Ｒ２１はアルキル基、アリール基、ヘテロ環基、カルボキシル基、アルコキシカルボニル基、アリールオキシカルボニル基、カルバモイル基、またはシアノ基を表す。Ｒ２２は水素原子、ハロゲン原子、アルキル基、アルコキシ基、ヒドロキシ基、アミノ基、カルバモイル基、スルファモイル基、またはアルコキシカルボニル基を表す。Ｒ２２は、Ｒ２２が結合するベンゼン環と５員または６員の縮環を形成してもよい。
ｎは０または１を表し、ｍは１〜５の整数を表す。但し、Ｒ２１およびＲ２２の少なくとも１つは、炭素数４以上のアルキル基である。ｍが２〜５の場合、複数存在するＲ２２は同じであっても互いに異なっていてもよい。【００１２】
＜２＞  一般式（１）で表される染料および一般式（２）で表される染料からなる群より選択される少なくとも１種の染料は、極大吸収波長が４５０ｎｍ〜５００ｎｍの範囲にあり、極大吸収波長における可視光透過率が６０％未満である＜１＞に記載の保護シート。
＜３＞  透明支持体の少なくとも一方に、一般式（１）で表される染料および一般式（２）で表される染料からなる群より選択される少なくとも１種の染料を含む色素含有層を有する＜１＞または＜２＞に記載の保護シート。
＜４＞  色素含有層は、一般式（１）で表される染料および一般式（２）で表される染料からなる群より選択される少なくとも１種の染料と、重合性化合物と、重合開始剤と、を含む硬化性組成物の硬化物である＜３＞に記載の保護シート。
＜５＞  色素含有層がさらに粘着剤を含む＜３＞または＜４＞に記載の保護シート。
＜６＞  一般式（１）で表される染料および一般式（２）で表される染料からなる群より選択される少なくとも１種の染料とは異なる着色剤をさらに含む＜１＞〜＜５＞のいずれか１つに記載の保護シート。【００１３】
＜７＞  ＜１＞〜＜６＞のいずれか１つに記載の保護シートを備える画像表示装置。【００１４】
＜８＞  下記一般式（１）で表される染料および下記一般式（２）で表される染料からなる群より選択される少なくとも１種の染料を含む眼鏡レンズ。【００１５】
【化３】
2017169370.tif 000005
【００１６】
一般式（１）中、Ｒ７１、Ｒ７２、Ｒ７３およびＲ７４は、それぞれ独立に、水素原子、アルキル基、アルコキシ基、アルコキシカルボニル基、カルバモイル基、スルファモイル基、シアノ基、アリール基、またはヘテロアリール基を表す。【００１７】
【化４】
2017169370.tif 000006
【００１８】
一般式（２）中、Ｒ２１はアルキル基、アリール基、ヘテロ環基、カルボキシル基、アルコキシカルボニル基、アリールオキシカルボニル基、カルバモイル基、またはシアノ基を表す。Ｒ２２は水素原子、ハロゲン原子、アルキル基、アルコキシ基、ヒドロキシ基、アミノ基、カルバモイル基、スルファモイル基、またはアルコキシカルボニル基を表す。Ｒ２２は、Ｒ２２が結合するベンゼン環と５員または６員の縮環を形成してもよい。
ｎは０または１を表し、ｍは１〜５の整数を表す。但し、Ｒ２１およびＲ２２の少なくとも１つは、炭素数４以上のアルキル基である。ｍが２〜５の場合、複数存在するＲ２２は同じであっても互いに異なっていてもよい。【００１９】
＜９＞  一般式（１）で表される染料および一般式（２）で表される染料からなる群より選択される少なくとも１種の染料は、極大吸収波長が４５０ｎｍ〜５００ｎｍの範囲にあり、極大吸収波長における可視光透過率が６０％未満である＜８＞に記載の眼鏡レンズ。
＜１０＞  透明レンズと、透明レンズの少なくとも一方の面に配置され、一般式（１）で表される染料および一般式（２）で表される染料からなる群より選択される少なくとも１種の染料を含む色素含有層と、を有する＜８＞または＜９＞に記載の眼鏡レンズ。
＜１１＞  色素含有層は、一般式（１）で表される染料および一般式（２）で表される染料からなる群より選択される少なくとも１種の染料と、重合性化合物と、重合開始剤と、を含む硬化性組成物の硬化物である＜１０＞に記載の眼鏡レンズ。
＜１２＞  色素含有層がゾルゲル膜である＜１０＞に記載の眼鏡レンズ。【００２０】
＜１３＞  透明レンズが、一般式（１）で表される染料および一般式（２）で表される染料からなる群より選択される少なくとも１種の染料を含む＜８＞または＜９＞に記載の眼鏡レンズ。
＜１４＞  一般式（１）で表される染料および一般式（２）で表される染料からなる群より選択される少なくとも１種の染料とは異なる着色剤をさらに含む＜８＞〜＜１３＞のいずれか１つに記載の眼鏡レンズ。【００２１】
＜１５＞  ＜８＞〜＜１４＞のいずれか１つに記載の眼鏡レンズを備える眼鏡。
【発明の効果】
【００２２】
本発明の一実施形態によれば、少なくとも可視光域のブルーライトを遮断することができ、表示画像の色再現性が良好な保護シート、および保護シートを備える画像表示装置を提供することができる。
本発明の別の実施形態によれば、少なくとも可視光域のブルーライトを遮断することができ、目視の対象である画像、物品等の色再現性が良好な眼鏡レンズ、および眼鏡レンズを備える眼鏡を提供することができる。
本明細書における「色再現性が良好である」とは、保護シートまたは眼鏡レンズを介して対象物を目視により視認した際に、観察者が色味の変化を感じ難いことを意味する。
【発明を実施するための形態】
【００２３】
以下、本開示の保護シート、および本開示の眼鏡レンズ等について詳細に説明する。以下に記載する構成要件の説明は、代表的な実施形態または具体例に基づいてなされることがあるが、本開示は以下に記載の如き実施形態に限定されない。
本明細書において「〜」を用いて表される数値範囲は「〜」の前後に記載される数値を下限値および上限値として含む範囲を意味する。
なお、本明細書においてシートまたは組成物中における各成分の量は、シートまたは組成物中に各成分に該当する物質が複数存在する場合、特に断らない限り、シートまたは組成物中に存在する当該複数の物質の合計量を意味する。
本明細書中に段階的に記載されている数値範囲において、一つの数値範囲で記載された上限値又は下限値は、他の段階的な記載の数値範囲の上限値又は下限値に置き換えてもよい。また、本明細書中に記載されている数値範囲において、その数値範囲の上限値又は下限値は、実施例に示されている値に置き換えてもよい。
本明細書において、「（メタ）アクリロイル基」は、「アクリロイル基」および「メタクリロイル基」のいずれか一方または双方を指し、「（メタ）アクリレート」は、「アクリレート」および「メタクリレート」のいずれか一方または双方を指し、「（メタ）アクリル」は、「アクリル」および「メタクリル」のいずれか一方または双方を指す。
本明細書においては、特に断らない限り、室温とは２５℃を意味する。
本明細書において、ブルーライトの遮断とは、ブルーライトを完全に遮断する場合のみならず、保護シートまたは眼鏡レンズを介することで、ブルーライトの少なくとも一部を遮断し、ブルーライトの透過率を減少させることを包含する。
【００２４】
［保護シート］
本開示の保護シートは、後述する一般式（１）で表される染料および一般式（２）で表される染料からなる群より選択される少なくとも１種の染料を含む保護シートである。即ち、本開示の保護シートは、例えば、各種画像表示装置のディスプレイ、或いはスマートフォン、タブレット端末等の各種ディスプレイに配置され、ディスプレイから放出されるブルーライトを遮断する目的で使用され得る保護シートである。
以下、保護シートに含まれる各成分について順次説明する。
【００２５】
＜一般式（１）で表される染料＞
以下、一般式（１）で表される染料について説明する。
【００２６】
【化５】
2017169370.tif 000007
【００２７】
一般式（１）中、Ｒ７１、Ｒ７２、Ｒ７３およびＲ７４は、それぞれ独立に、水素原子、アルキル基、アルコキシ基、アルコキシカルボニル基、カルバモイル基、スルファモイル基、シアノ基、アリール基、またはヘテロアリール基を表す。
【００２８】
Ｒ７１、Ｒ７２、Ｒ７３およびＲ７４におけるアルキル基としては、炭素数１〜４８のアルキル基が好ましく、炭素数１〜１８のアルキル基がより好ましい。アルキル基は、直鎖、分岐鎖、または環状のいずれであってもよい。アルキル基としては、例えば、メチル基、エチル基、プロピル基、イソプロピル基、ブチル基、ｔ−ブチル基、ペンチル基、ヘキシル基、ヘプチル基、オクチル基、２−エチルヘキシル基、ドデシル基、ヘキサデシル基、シクロプロピル基、シクロペンチル基、シクロヘキシル基、１−ノルボルニル基、１−アダマンチル基などが挙げられ、好ましくは、メチル基、エチル基、プロピル基、イソプロピル基、ブチル基、ｔ−ブチル基、ペンチル基、ヘキシル基、ヘプチル基、オクチル基、２−エチルヘキシル基等である。
Ｒ７１、Ｒ７２、Ｒ７３およびＲ７４におけるアルコキシ基としては、炭素数１〜４８のアルコキシ基が好ましく、炭素数１〜１２のアルコキシ基がより好ましい。アルコキシ基としては、例えば、メトキシ基、エトキシ基、１−ブトキシ基、２−ブトキシ基、イソプロポキシ基、ｔ−ブトキシ基、ドデシルオキシ基、シクロアルキルオキシ基などが挙げられ、シクロアルキルオキシ基としては、例えば、シクロペンチルオキシ基、シクロヘキシルオキシ基などが挙げられる。アルコキシ基としては、好ましくは、メトキシ基、エトキシ基、１−ブトキシ基、２−ブトキシ基、イソプロポキシ基、ｔ−ブトキシ基が挙げられる。
Ｒ７１、Ｒ７２、Ｒ７３およびＲ７４におけるアルコキシカルボニル基としては、炭素数２〜４８のアルコキシカルボニル基が好ましく、炭素数２〜１２のアルコキシカルボニル基がより好ましく、例えば、メトキシカルボニル基、エトキシカルボニル基、オクタデシルオキシカルボニル基、シクロヘキシルオキシカルボニル基などが挙げられる。アルコキシカルボニル基としては、好ましくは、メトキシカルボニル基、またはエトキシカルボニル基である。
【００２９】
Ｒ７１、Ｒ７２、Ｒ７３およびＲ７４におけるカルバモイル基としては、炭素数１〜４８のカルバモイル基が好ましく、炭素数１〜１２のカルバモイル基がより好ましく、例えば、カルバモイル基、Ｎ，Ｎ−ジエチルカルバモイル基、Ｎ−エチル−Ｎ−オクチルカルバモイル基、Ｎ，Ｎ−ジブチルカルバモイル基、Ｎ−プロピルカルバモイル基、Ｎ−フェニルカルバモイル基、Ｎ−メチルＮ−フェニルカルバモイル基、Ｎ，Ｎ−ジシクロへキシルカルバモイル基などが挙げられ、Ｎ−エチル−Ｎ−オクチルカルバモイル基、Ｎ，Ｎ−ジブチルカルバモイル基、Ｎ−プロピルカルバモイル基、Ｎ−フェニルカルバモイル基等が挙げられる。
Ｒ７１、Ｒ７２、Ｒ７３およびＲ７４におけるスルファモイル基としては、炭素数３２以下のスルファモイル基が好ましく、炭素数１６以下のスルファモイル基がより好ましく、例えば、スルファモイル基、Ｎ，Ｎ−ジプロピルスルファモイル基、Ｎ−エチル−Ｎ−ドデシルスルファモイル基、Ｎ−エチル−Ｎ−ヘキシルスルファモイル基、Ｎ−エチル−Ｎ−フェニルスルファモイル基、Ｎ−シクロヘキシルスルファモイル基などが挙げられ、好ましくは、Ｎ−エチル−Ｎ−ヘキシルスルファモイル基、Ｎ−エチル−Ｎ−フェニルスルファモイル基、Ｎ−シクロヘキシルスルファモイル基等が挙げられる。
Ｒ７１、Ｒ７２、Ｒ７３およびＲ７４におけるアリール基としては、炭素数６〜４８のアリール基が好ましく、炭素数６〜１２のアリール基がより好ましく、例えば、フェニル基、ナフチル基などが挙げられ、好ましくは、フェニル基である。
Ｒ７１、Ｒ７２、Ｒ７３およびＲ７４におけるヘテロアリール基としては、炭素数１〜３２のヘテロアリール基が好ましく、炭素数１〜１２のヘテロアリール基がより好ましく、例えば、２−チエニル基、４−ピリジル基、２−フリル基、２−ピリミジニル基、１−ピリジル基、２−ベンゾチアゾリル基、１−イミダゾリル基、１−ピラゾリル基、ベンゾトリアゾール−１−イル基などが挙げられ、好ましくは、２−ベンゾチアゾリル基、１−イミダゾリル基、１−ピラゾリル基、ベンゾトリアゾール−１−イル基などが挙げられる。
【００３０】
Ｒ７１は、それぞれ置換基を有してもよい炭素数１〜８のアルキル基、置換基を有してもよい炭素数６〜１２のアリール基、またはシアノ基が好ましく、より好ましくはメチル基、エチル基、イソプロピル基、ｔ−ブチル基、フェニル基、またはｏ−メチルフェニル基である。
Ｒ７３およびＲ７４は、好ましくは水素原子であり、Ｒ７２は、それぞれ特に構造は限定されないが、アルコキシカルボニル基、カルバモイル基、またはスルファモイル基であることが好ましく、アルコキシカルボニル基、カルバモイル基、およびスルファモイル基は、それぞれ、構造中に置換アルキル基、ＰＥＯ（ポリエチレングリコール）鎖、ＰＰＯ（ポリプロピレングリコール）鎖、アンモニウム塩、または重合性基を有することが好ましい。Ｒ７２は、より好ましくはスルファモイル基である。
一般式（１）において複数存在するＲ７１、およびＲ７２は同じでも互いに異なっていてもよいが、合成適性の観点からは同じことが好ましい。
【００３１】
一般式（１）で表される染料は、下記一般式（１−２）で表される染料であることが好ましい。
【００３２】
【化６】
2017169370.tif 000008
【００３３】
一般式（１−２）中、Ｒ７１、Ｒ７３、およびＲ７４は、一般式（１）におけるＲ７１、Ｒ７３、およびＲ７４とそれぞれ同義である。Ｒ７６およびＲ７８は、それぞれ独立に、水素原子、または炭素数１〜４８のアルキル基を表し、Ｒ７５およびＲ７７は、それぞれ独立に、炭素数１〜４８のアルキル基、炭素数６〜４８のアリール基、または炭素数１〜３２のヘテロアリール基を表す。
Ｒ７６およびＲ７８におけるアルキル基、アリール基、およびヘテロアリール基としては、Ｒ７１、Ｒ７２、Ｒ７３およびＲ７４におけるアルキル基、アリール基、およびヘテロアリール基と同様のものが挙げられる。
【００３４】
一般式（１）で表される染料の具体例〔例示化合物（Ｙ−１）〜（Ｙ−４）〕を以下に示す。一般式（１）で表される染料は以下の例に限定されない。
【００３５】
【化７】
2017169370.tif 000009
【００３６】
一般式（１）で表される染料は、例えば、特開２０１３−１６０８６０号公報の段落番号〔００６０〕〜〔００７１〕において、一般式（ＶＩ）で表される化合物として詳細に記載されており、この記載を参照することができる。また、同公報の段落番号〔００７１〕に記載の例示化合物（Ｂ−１）〜（Ｂ−９）は、一般式（１）で表される染料として適用可能である。
【００３７】
一般式（１）で表される染料は、波長４５０ｎｍ〜５００ｎｍに極大吸収を有することが好ましく、染料の極大吸収波長における可視光透過率が６０％未満であることが好ましい。
染料の極大吸収波長の測定は、染料を塩化メチレンに溶解させて調製した染料の０．００５質量％溶液を、１ｃｍ石英セルを用い、室温（２５℃）で分光スペクトル測定することにより行なうことができる。
本明細書における染料の極大吸収波長は、島津製作所社製、ＵＶ／ｖｉｓスペクトルメーターＵＶ３４００を用いて分光スペクトル測定した際の極大吸収波長λｍａｘを示す。また、分光スペクトルにより、極大吸収波長域における吸光度（Ａｂｓ）が測定され、吸光度から可視光透過率を確認することができる。
【００３８】
＜一般式（２）で表される染料＞
以下、一般式（２）で表される染料について説明する。
【００３９】
【化８】
2017169370.tif 000010
【００４０】
一般式（２）中、Ｒ２１はアルキル基、アリール基、ヘテロ環基、カルボキシル基、アルコキシカルボニル基、アリールオキシカルボニル基、カルバモイル基、またはシアノ基を表す。Ｒ２２は水素原子、ハロゲン原子、アルキル基、アルコキシ基、ヒドロキシ基、アミノ基、カルバモイル基、スルファモイル基、またはアルコキシカルボニル基を表す。Ｒ２２は、Ｒ２２が結合するベンゼン環と５員または６員の縮環を形成してもよい。
ｎは０または１を表し、ｍは１〜５の整数を表す。但し、Ｒ２１およびＲ２２の少なくとも１つは、炭素数４以上のアルキル基である。ｍが２〜５の場合、複数存在するＲ２２は同じであっても互いに異なっていてもよい。
【００４１】
Ｒ２１におけるアルキル基としては、直鎖状であっても、分岐を有していても、環状、即ち、シクロアルキル基であってもよい。
直鎖または分岐を有するアルキル基としては、炭素数１〜２２のアルキル基であることが好ましい。直鎖または分岐を有するアルキル基としては、例えば、メチル基、エチル基、プロピル基、イソプロピル基、ブチル基、ｔ−ブチル基、ペンチル基、ヘキシル基、ヘプチル基、オクチル基、２−エチルヘキシル基、ドデシル基、ヘキサデシル基等が挙げられる。
直鎖または分岐を有するアルキル基は、置換基を有していてもよい。直鎖または分岐を有するアルキル基に導入可能な置換基としては、例えば、ハロゲン原子、シアノ基、アルコキシ基、ヒドロキシ基、アミノ基、アルコキシカルボニル基、アリールオキシカルボニル基などが挙げられる。
シクロアルキル基としては、シクロペンチル基、シクロヘプチル基、シクロオクチル基などが挙げられる。
【００４２】
Ｒ２１におけるヘテロ環基としては、窒素原子、酸素原子、硫黄原子などを含むヘテロ環基が好ましく、例えば、２−チエニル基、４−ピリジル基などが挙げられる。
Ｒ２１におけるアリール基またはアリールオキシカルボニル基が含むアリール部分としては、炭素数６〜４８のアリールが好ましく、炭素数６〜１２のアリールがより好ましく、例えば、フェニル基、ナフチル基などが挙げられる。アリール基、またはアリールオキシカルボニル基におけるアリール部分は、さらに置換基を有していてもよく、導入可能な置換基としては、例えば、アルキル基、アルコキシ基、ハロゲン原子、ニトロ基、シアノ基、ヒドロキシ基、カルキシ基、カルバモイル基、スルホ基、スルファモイル基、アルコキシカルボニル基、アミノ基などが挙げられる。
【００４３】
Ｒ２１およびＲ２２におけるアルコキシカルボニル基、並びにＲ２２におけるアルコキシ基が有するアルキル部分は、既述のアルキル基と同義である。
Ｒ２１およびＲ２２がカルバモイル基である場合、およびＲ２２がスルファモイル基である場合、カルバモイル基およびスルファモイル基は、Ｒ２１において述べたアルキル基またはアリール基を置換基として有していてもよい。
Ｒ２２におけるハロゲン原子としては、フッ素原子、塩素原子、臭素原子、ヨウ素原子などが挙げられる。
Ｒ２２におけるアミノ基は、既述のアルキル基、既述のアリール基、−ＣＯＲ１、−ＳＯ２Ｒ１等を置換基として有していてもよい。ここで、Ｒ１は、アルキル基またはアリール基を表し、アルキル基およびアリール基は既述のアルキル基またはアリール基と同義である。
【００４４】
一般式（２）で表される染料は、下記一般式（２−２）で表される染料であることが好ましい。
【００４５】
【化９】
2017169370.tif 000011
【００４６】
一般式（２−２）において、Ｒ２３はアルキル基を表し、分岐鎖を有するアルキル基であることが好ましい。
Ｒ２４およびＲ２５はそれぞれ独立にアルキル基を表し、Ｒ２４とＲ２５とは互いに連結して５員環または６員環を形成してもよい。Ｒ２３とＲ２４、Ｒ２５およびＲ２６のうち少なくとも１つは、炭素数４以上のアルキル基である。
炭素数４以上のアルキル基としては、Ｒ２１におけるアルキル基として例示されたアルキル基のうち、炭素数４以上のアルキル基が挙げられる。
一般式（２−２）におけるＲ２６は、一般式（２）におけるＲ２２と同義であり、好ましい例も同様である。
【００４７】
一般式（２）で表される染料の具体例〔例示化合物（Ｚ−１）〜（Ｚ−４）〕を以下に挙げる。一般式（２）で表される染料は、以下の具体例に限定されない。
【００４８】
【化１０】
2017169370.tif 000012
【００４９】
一般式（２）で表される染料は、例えば、特開平３−１７１１３７号公報において、一般式（１）で表される水に不溶の染料として詳細に記載されており、これを参照することができる。また、同公報の第４頁左下欄の一般式（１）の記載〜同第５頁左下欄第３行目に記載の置換基の説明、同第７頁に記載の化合物番号１〜化合物番号２８で示される染料は、一般式（２）で表される染料として適用可能である。
【００５０】
一般式（２）で表される染料は、波長４５０ｎｍ〜５００ｎｍに極大吸収を有することが好ましく、染料の極大吸収波長における可視光透過率が６０％未満であることが好ましい。
染料の極大吸収波長および可視光透過率は、一般式（１）で表される染料の説明において述べた方法と同様の方法で測定することができる。
【００５１】
本開示における一実施形態の作用は明確ではないが、以下の如く考えている。
可視光域におけるブルーライトは、波長４００ｎｍ〜５００ｎｍに極大吸収を有する黄色色素にてある程度遮断しうることが知られていた。本発明者らは、染料の吸収特性に着目し、染料の吸収スペクトルにおける極大吸収波長のピークがシャープに現れ、極大吸収波長よりも短波長側或いは長波長側の吸収が著しく低い染料として、既述の一般式（１）で表される染料および一般式（２）で表される染料を使用することで、課題を解決しうることを見出した。
即ち、たとえ波長４００ｎｍ〜５００ｎｍに極大吸収を有する染料であっても、より長波長側に吸収を有する染料を使用した場合、ブルーライトの遮断性がある程度得られても、保護シートの色相が赤みを帯びること、オレンジ、赤などの赤みを帯びた色相は目視により視認しやすく、保護シートを介してディスプレイの表示画像を目視した場合の色再現性が低下することを見出した。
既述の一般式（１）で表される染料および一般式（２）で表される染料は、いずれも波長４５０ｎｍ〜５００ｎｍに極大吸収を有し、保護シートに使用することで、優れたブルーライト遮断性を有し、かつ、吸収がシャープであり、より長波長側の領域における吸収が、例えば、特開２０１５−８７６９０号公報に記載の染料と比較して極めて低いことから、既述の染料を含む色素含有層を有する保護シートを介してディスプレイの表示画像を目視する場合、画像の色再現性が良好となったと推定される。また、既述の染料は、保護シートに使用するために必要な耐光性、耐久性などの物性を有するため、実用上十分な効果の持続性をも有すると考えられる。
既述の一般式（１）で表される染料および一般式（２）で表される染料は吸収スペクトルにおける極大吸収波長のピークがシャープであり、保護シートはやや黄味を帯びるが、黄色は目視にて視認され難く、ディスプレイの表示画像の色再現性を低下させる懸念が殆どない。この効果は、例えば、表示画像が白色の場合に著しいといえる。
既述の効果は、使用する染料の極大吸収波長が４５０ｎｍ〜５００ｎｍであり、染料の極大吸収波長における可視光透過率が６０％未満であることで、より向上する。
なお、本開示は上記推定機構には何ら制限されない。
【００５２】
＜染料の含有形態、含有量＞
本開示の保護シートには、既述の一般式（１）で表される染料および一般式（２）で表される染料からなる群より選択される少なくとも１種の染料（以下、特定染料と称することがある）を含めばよく、２種以上を含んでもよい。
特定染料を保護シートに含有させる形態には特に制限はなく、保護シートのいずれかの層に特定染料が含まれていれば特に制限はない。特定染料を安定に保護層に固定化し得るという観点から、特定染料は樹脂層に含まれることが好ましい。
例えば、保護シートは、透明支持体と、透明支持体の少なくとも一方の面に配置され、一般式（１）で表される染料および一般式（２）で表される染料からなる群より選択される少なくとも１種の染料を含む色素含有層と、を有する形態をとることができる。
色素含有層は、例えば、染料を含有する硬化性組成物を透明支持体上に塗布して硬化させることで形成することができる。
即ち、色素含有層は、得られる保護シートの安定性、取り扱い性の観点から、一般式（１）で表される染料および一般式（２）で表される染料からなる群より選択される少なくとも１種の染料と、重合性化合物と、重合開始剤と、を含む硬化性組成物の硬化物であることが、好ましい態様の一つである。
【００５３】
保護シートの構成の例を挙げれば、既述の如く、透明支持体と、色素含有層とを有する態様の他、透明支持体と、ハードコート層と、接着層と、を有する保護シートである場合、特定染料は、透明支持体、ハードコート層、および接着層のうち少なくともいずれかに含まれていればよい。例えば、透明支持体上に配置された接着層が特定染料を含み、色素含有層が接着層の機能を有する形態であってもよい。
色素含有層が接着層としての機能を有する場合には、例えば、色素含有層は、一般式（１）で表される染料および一般式（２）で表される染料からなる群より選択される少なくとも１種の染料と、重合性化合物と、重合開始剤と、に加え、さらに、粘着剤を含む硬化性組成物の硬化物とすることができる。既述の態様によれば、粘着性を有する色素含有層を得ることができる。
なお、硬化性組成物の詳細については後述する。
また、特定染料は、本実施形態の効果を損なわない限りにおいて、保護シートの透明支持体に含まれてもよい。さらに、ディスプレイ表面にハードコート層を設ける際に用いられるハードコート層形成用組成物に特定染料を含有させ、ディスプレイ表面に直接、特定染料を含有したハードコート層を設けて保護シートとすることもできる。
【００５４】
保護シートにおける特定染料の含有量には特に制限はない。
ブルーライト遮断効果と画像の色再現性および視認性とのバランスが良好であるという観点から、保護シートにおける特定染料の含有量は、０．００５ｍｍｏｌ（ミリモル）／ｍ２〜０．１ｍｍｏｌ／ｍ２の範囲であることが好ましく、０．０１ｍｍｏｌ／ｍ２〜０．０５ｍｍｏｌ／ｍ２の範囲であることがより好ましい。
色素含有層における染料の含有量は、以下の方法で測定することができる。
すなわち、面積のわかっている色素含有層を有機溶剤（テトラヒドロフラン等）中に浸漬させた後、色素含有層が溶存する有機溶剤を所定の量に希釈する。ここで、所定の量に希釈するとは、希釈された液を測定用のセルに投入し、分光スペクトルが測定可能な倍率に希釈することをいう。
得られた有機溶剤の希釈液を、ＵＶ／ｖｉｓスペクトルメーター、例えば、島津製作所社製、ＵＶ／ｖｉｓスペクトルメーターＵＶ３４００、を用いて分光スペクトル測定し、極大吸収波長λｍａｘにおける吸光度（Ａｂｓ）を算出し、染料の吸光係数から、色素含有層中に含まれる染料のモル濃度を算出することができる。
単位面積当たりの特定染料の含有量は、保護シートの形成に用いられる硬化性組成物における特定染料の含有量と、乾燥後の硬化物としての膜厚の少なくともいずれかを制御することで調整することができる。
【００５５】
＜他の着色剤＞
本開示の保護シートは、一般式（１）で表される染料および一般式（２）で表される染料からなる群より選択される少なくとも１種の染料（即ち、特定染料）とは異なる着色剤をさらに含むことができる。
特定染料とは異なる着色剤（以下、他の着色剤と称することがある）を含むことで、保護シートの色相、吸収波長、可視光透過率などを調整することができる。
他の着色剤は、効果を損なわない限り、特に制限はなく、染料、顔料などから目的に応じて適宜選択して用いることができる。また、他の着色剤の色相は、目的に応じて任意に選択することができる。
他の着色剤は、保護シートに１種のみ含まれてもよく、２種以上が含まれてもよい。
他の着色剤の色相としては、青色、緑色、紫色、黄色などを挙げることができる。しかしながら、５００ｎｍ〜６００ｎｍの可視光領域の吸収を有する着色剤を多く含むと保護シートの色相が、若干赤みを帯びるため、５００ｎｍ〜６００ｎｍの可視光領域における吸収を有する着色剤を用いる場合には、含有量などに注意を要する。
【００５６】
他の着色剤としては、下記一般式（３）で表される染料が挙げられる。
【００５７】
【化１１】
2017169370.tif 000013
【００５８】
一般式（３）中、ＸおよびＹはそれぞれ独立に、シアノ基、カルボキシル基、アルキルカルボニル基、アリールカルボニル基、アルコキシカルボニル基、アリールオキシカルボニル基、カルバモイル基、スルホニル基、またはスルファモイル基を表す。ＸとＹとは互いに連結して環を形成してもよい。
Ｒ３１およびＲ３２はそれぞれ独立に、水素原子、ハロゲン原子、アルキル基、アルコキシ基、ヒドロキシ基、カルボキシル基、置換アミノ基、カルバモイル基、スルファモイル基、またはアルコキシカルボニル基を表す。
Ｒ３３およびＲ３４はそれぞれ独立に、水素原子、アルキル基、アルケニル基、アリール基、アシル基、またはスルホニル基を表す。Ｒ３３とＲ３４とは互に連結して５員環または６員環を形成してもよい。
また、Ｒ３１とＲ３３、Ｒ３２とＲ３４とがそれぞれ互に連結して５員環、または６員環を形成してもよい。
Ｌはメチン基を表す。
一般式（３）で表される染料は、例えば、特開平１−２０７７４２号公報において、一般式（１）で表される化合物として詳細に記載されており、これを参照することができる。また、同公報の第４頁右下欄第４行目〜同第８頁右下欄第１行目に詳細に記載される化合物は、一般式（３）で表される染料として適用可能である。
【００５９】
本開示の保護シートには、着色剤として、既述の一般式（３）で表される染料以外の、特定染料に包含されない染料を含有することができる。
特定染料以外の染料としては、例えば、米国特許２００８／００７６０４４Ａ１明細書にフタロシアニン化合物として記載されるフタロシアニン系染料、キサンテン系染料、トリアリールメタン系染料、メチン系染料、アゾ染料、アントラキノン染料、特開２００８−２９２９７０号公報に記載されるジピロメテン系染料であって、一般式（１）で表される染料とは構造の異なる染料などが挙げられ、特定染料以外の染料は、４５０ｎｍ〜５００ｎｍの範囲に極大吸収波長を有していても、有していなくてもよい。
【００６０】
また、着色剤として既述の特定染料に加え、顔料を使用することもできる。
着色剤として使用しうる顔料としては、ペリレン、ペリノン、キナクリドン、キナクリドンキノン、アントラキノン、アントアントロン、ベンズイミダゾロン、ジスアゾ縮合、ジスアゾ、アゾ、インダントロン、フタロシアニン、トリアリールカルボニウム、ジオキサジン、アミノアントラキノン、ジケトピロロピロール、インジゴ、チオインジゴ、イソインドリン、イソインドリノン、ピラントロンもしくはイソビオラントロン等が挙げられる。
【００６１】
更に詳しくは、例えば、ピグメント・レッド１９０、ピグメント・レッド２２４、ピグメント・バイオレット２９等のペリレン顔料、ピグメント・オレンジ４３、もしくはピグメント・レッド１９４等のペリノン顔料、ピグメント・バイオレット１９、ピグメント・バイオレット４２、ピグメント・レッド１２２、ピグメント・レッド１９２、ピグメント・レッド２０２、ピグメント・レッド２０７、もしくはピグメント・レッド２０９のキナクリドン顔料、ピグメント・レッド２０６、ピグメント・オレンジ４８、もしくはピグメント・オレンジ４９等のキナクリドンキノン顔料、ピグメント・イエロー１４７等のアントラキノン顔料、ピグメント・レッド１６８等のアントアントロン顔料、ピグメント・ブラウン２５、ピグメント・バイオレット３２、ピグメント・オレンジ３６、ピグメント・イエロー１２０、ピグメント・イエロー１８０、ピグメント・イエロー１８１、ピグメント・オレンジ６２、もしくはピグメント・レッド１８５等のベンズイミダゾロン顔料、ピグメント・イエロー９３、ピグメント・イエロー９４、ピグメント・イエロー９５、ピグメント・イエロー１２８、ピグメント・イエロー１６６、ピグメント・オレンジ３４、ピグメント・オレンジ１３、ピグメント・オレンジ３１、ピグメント・レッド１４４、ピグメント・レッド１６６、ピグメント・レッド２２０、ピグメント・レッド２２１、ピグメント・レッド２４２、ピグメント・レッド２４８、ピグメント・レッド２６２、もしくはピグメント・ブラウン２３等のジスアゾ縮合顔料、ピグメント・イエロー１３、ピグメント・イエロー８３、もしくはピグメント・イエロー１８８等のジスアゾ顔料、ピグメント・レッド１８７、ピグメント・レッド１７０、ピグメント・イエロー７４、ピグメント・イエロー１５０、ピグメント・レッド４８、ピグメント・レッド５３、ピグメント・オレンジ６４、もしくはピグメント・レッド２４７等のアゾ顔料、ピグメント・ブルー６０等のインダントロン顔料、ピグメント・グリーン７、ピグメント・グリーン３６、ピグメント・グリーン３７、ピグメント・グリーン５８、ピグメント・ブルー１６、ピグメント・ブルー７５、もしくはピグメント・ブルー１５等のフタロシアニン顔料、ピグメント・ブルー５６、もしくはピグメント・ブルー６１等のトリアリールカルボニウム顔料、ピグメント・バイオレット２３、もしくはピグメント・バイオレット３７等のジオキサジン顔料、ピグメント・レッド１７７等のアミノアントラキノン顔料、ピグメント・レッド２５４、ピグメント・レッド２５５、ピグメント・レッド２６４、ピグメント・レッド２７２、ピグメント・オレンジ７１、もしくはピグメント・オレンジ７３等のジケトピロロピロール顔料、ピグメント・レッド８８等のチオインジゴ顔料、ピグメント・イエロー１３９、ピグメント・オレンジ６６等のイソインドリン顔料、ピグメント・イエロー１０９、もしくはピグメント・オレンジ６１等のイソインドリノン顔料、ピグメント・オレンジ４０、もしくはピグメント・レッド２１６等のピラントロン顔料、またはピグメント・バイオレット３１等のイソビオラントロン顔料が挙げられる。
【００６２】
好ましいブルーライト遮断性と、画像のより良好な色再現性を得る観点から、特定染料以外の着色剤としては、フタロシアニン系染料、キサンテン系染料、トリアリールメタン系染料、メチン系染料、アゾ染料、アントラキノン染料、ジピロメテン系染料などが好ましく挙げられる。
【００６３】
なお、着色剤として顔料を使用する場合には、保護シートの視認性を損なわないという観点からは、顔料の平均一次粒子径が２００ｎｍ以下であることが好ましく、１０ｎｍ〜２００ｎｍであることが好ましく、１０ｎｍ〜１００ｎｍであることがより好ましい。
着色剤として顔料を使用する場合には、後述する硬化性組成物を調製する前に、予め顔料粒子を分散剤、有機溶剤等と混合し、十分に分散させておき、顔料分散液を調整した後、硬化性組成物に含有させることが好ましい。
【００６４】
＜硬化性組成物＞
本開示の保護シートの形成に好適に用いうる硬化性組成物について述べる。硬化性組成物は、特定染料と、重合性化合物と、重合開始剤とを含み、さらにその他の成分を含んでもよい。
硬化性組成物は、エネルギーの付与により硬化しうる組成物である。エネルギーの付与手段としては、例えば、可視光、紫外光、電子線等の照射、加熱などが挙げられ、汎用性があり、硬化感度が良好であるなどの観点から、紫外線照射手段であることが好ましい。
【００６５】
（重合性化合物）
色素含有層の形成に用いうる硬化性組成物には、重合性化合物を含むことができる。重合性化合物は、エネルギー付与により重合効果可能な化合物であれば特に制限なく使用することができる。重合性化合物としては、例えば、少なくとも１個のエチレン性不飽和二重結合を有する付加重合性化合物を挙げることができる。
【００６６】
重合性化合物としては、末端エチレン性不飽和結合を少なくとも１個有する化合物、好ましくは末端エチレン性不飽和結合を２個以上有する化合物から選ばれる。このような化合物群は、当該産業分野において広く知られているものであり、本実施形態においては、公知の重合性化合物を特に限定なく用いることができる。これらは、例えば、モノマー、プレポリマー、すなわち２量体、３量体およびオリゴマー、またはそれらの混合物並びにそれらの（共）重合体などの化学的形態をとることができる。
【００６７】
モノマーおよびその（共）重合体の例としては、不飽和カルボン酸（例えば、アクリル酸、メタクリル酸、イタコン酸、クロトン酸、イソクロトン酸、マレイン酸など）、およびそのエステル、アミド、並びに既述の成分の（共）重合体が挙げられ、好ましくは、不飽和カルボン酸と脂肪族多価アルコール化合物とのエステル、および不飽和カルボン酸と脂肪族多価アミン化合物とのアミド、並びにこれらの（共）重合体である。
また、ヒドロキシ基、アミノ基、メルカプト基等の求核性置換基を有する不飽和カルボン酸エステル或いはアミドと、単官能若しくは多官能イソシアネート化合物或いはエポキシ化合物との付加反応物や、単官能若しくは多官能のカルボン酸との脱水縮合反応物等も好適に使用される。また、イソシアネート基やエポキシ基等の親電子性置換基を有する不飽和カルボン酸エステル或いはアミドと、単官能若しくは多官能のアルコール、アミン、チオールとの付加反応物、更に、ハロゲン基やトシルオキシ基等の脱離性置換基を有する不飽和カルボン酸エステル或いはアミドと、単官能若しくは多官能のアルコール、アミン、チオールとの置換反応物も好適である。また、別の例として、上記の不飽和カルボン酸の代わりに、不飽和ホスホン酸、スチレン、ビニルエーテル等に置き換えた化合物群を使用することも可能である。
【００６８】
重合性化合物について、重合性化合物の構造、単独で用いるか、或いは、２種以上を併用するか、重合性化合物の含有量等の使用方法の詳細は、硬化性組成物の最終的な性能設計にあわせて任意に設定することができる。
例えば、感度の観点では、１分子あたりの不飽和基含量が多い構造が好ましく、多くの場合は２官能以上が好ましい。また、色素含有層の強度を高める観点では、３官能以上の化合物、例えば、６官能のアクリレート化合物等を用いることができる。
また、異なる官能数であるか、あるいは異なる重合性基を有する化合物、例えばアクリル酸エステル、メタクリル酸エステル、スチレン系化合物、ビニルエーテル系化合物等を併用することで、感度と強度の両方を調整する方法も有効である。
重合性化合物は市販品を用いることができる。市販品としては、例えば、日本化薬（株）のＫＹＡＲＡＤ（登録商標）  ＰＥＴ−３０、ＫＹＡＲＡＤ  ＴＰＡ−３３０、エボニック社のＰＯＬＹＶＥＳＴ（登録商標）１１０Ｍ、新中村化学工業（株）の多官能アクリレートＡ−９３００（商品名）などが挙げられる。
【００６９】
硬化性組成物には、重合性化合物を１種のみ含んでもよく、２種以上を併用してもよい。
硬化性組成物における重合性化合物の含有量には、特に制限はない。例えば、硬化性組成物の全固形分中における重合性化合物の含有量は、３０質量％〜９９．５質量％が好ましく、５０質量％〜９９質量％がより好ましく、６０質量％〜９８質量％がさらに好ましい。
【００７０】
重合性化合物として高分子化合物を使用する場合の好ましい態様を以下に挙げる。
高分子の重合性化合物として使用しうる硬化性樹脂としては、（メタ）アクリル樹脂、ポリエステル樹脂、ウレタン樹脂、フッ素系樹脂などが挙げられる。
硬化性組成物における硬化性樹脂は１種のみであってもよく、２種以上を併用してもよい。膜均一性の観点からは、硬化性樹脂は１種のみ用いることが好ましい。
色素含有層の強度を向上させる観点から、硬化性樹脂は、架橋構造を有することが好ましい。硬化性樹脂に架橋構造の形成させる方法には、特に制限はない。例えば、硬化性樹脂が有する反応基と結合しうる多官能（メタ）アクリレートモノマーを使用する方法、硬化性樹脂としての（メタ）アクリル樹脂に反応性基（例えば、水酸基）を導入し、反応性基と反応する架橋剤と反応させる方法などが挙げられる。
【００７１】
（メタ）アクリル樹脂に反応性基を導入する方法のより具体的な例としては、水酸基、１級アミノ基および２級アミノ基からなる群より選ばれる１種以上の活性水素を含む基を有する（メタ）アクリレートモノマー由来の構造単位を含む（メタ）アクリル樹脂と、イソシアネート基含有架橋剤、即ち、分子内に２つ以上のイソシアネート基を有する化合物とを反応させる方法が挙げられる。反応性基を有する（メタ）アクリレート樹脂の合成に際しては、３以上の多官能（メタ）アクリレートモノマーを使用することが、得られる色素含有層の架橋密度がより高まり、強度がより向上する観点から好ましい。
架橋剤としては、公知の架橋剤を適宜使用することができる。架橋剤としては、新中村化学工業（株）のＡＤ−ＴＭＰ、Ａ−９５５０（いずれも商品名）などが挙げられる。
【００７２】
硬化性組成物における硬化性樹脂の含有量には、特に制限はない。例えば、硬化性組成物の全固形分中における硬化性樹脂の含有量は、３０質量％〜９９．５質量％が好ましく、５０質量％〜９９質量％がより好ましく、６０質量％〜９８質量％がさらに好ましい。
硬化性樹脂と併用される架橋剤の含有量は、硬化性樹脂１００質量部に対し、５質量部〜８０質量部であることが好ましく、１０質量部〜５０質量部であることがより好ましい。
【００７３】
（重合開始剤）
色素含有層の形成に用いうる硬化性組成物には、重合開始剤を含むことができる。重合開始剤は、エネルギーの付与により重合に必要な開始種を発生しうる化合物であれば特に制限なく、公知の光重合開始剤、熱重合開始剤の中から適宜選択して使用することができる。
光重合開始剤としては、例えば、紫外線領域から可視の光線に対して感光性を有する開始剤が好ましく、光励起された増感剤と何らかの作用を生じ、活性ラジカルを生成する開始剤であってもよく、モノマーの種類に応じてカチオン重合を開始させるような開始剤であってもよい。
光重合開始剤としては、例えば、トリアジン骨格を有する光重合開始剤、オキサジアゾール骨格を有する光重合開始剤等のハロゲン化炭化水素誘導体、アシルホスフィンオキシド等のアシルホスフィン化合物、ヘキサアリールビイミダゾール、オキシム誘導体等のオキシム化合物、有機過酸化物、チオ化合物、ケトン化合物、芳香族オニウム塩、ケトオキシムエーテル、アミノアセトフェノン化合物、ヒドロキシアセトフェノンなどが挙げられる。アミノアセトフェノン系開始剤として、３６５ｎｍまたは４０５ｎｍ等の長波光源に吸収波長を調整された特開２００９−１９１１７９号公報に記載の化合物も用いることができる。
さらに、例えば、特開平１０−２９１９６９号公報に記載のアミノアセトフェノン系開始剤、特許第４２２５８９８号公報に記載のアシルホスフィンオキシド系開始剤を用いることができる。
【００７４】
光重合開始剤は、合成品を用いてもよく、市販品を用いてもよい。本実施形態に使用しうる市販品の一例を挙げれば、ヒドロキシアセトフェノン系開始剤としては、ＩＲＧＡＣＵＲＥ（登録商標）−１８４、ＤＡＲＯＣＵＲ（登録商標）−１１７３、ＩＲＧＡＣＵＲＥ−５００、ＩＲＧＡＣＵＲＥ−２９５９、ＩＲＧＡＣＵＲＥ−１２７（商品名：いずれもＢＡＳＦ社製）等が挙げられる。
アミノアセトフェノン系開始剤としては、ＩＲＧＡＣＵＲＥ−９０７、ＩＲＧＡＣＵＲＥ−３６９、ＩＲＧＡＣＵＲＥ−３７９（商品名：いずれもＢＡＳＦ社製）等が挙げられる。
アシルホスフィン系開始剤としては、ＩＲＧＡＣＵＲＥ−８１９、ＤＡＲＯＣＵＲ−ＴＰＯ（商品名：いずれもＢＡＳＦ社製）等が挙げられる。
【００７５】
光重合開始剤として、より好ましくはオキシム系化合物が挙げられる。オキシム系開始剤の具体例としては、特開２００１−２３３８４２号公報記載の化合物、特開２０００−８００６８号公報記載の化合物、特開２００６−３４２１６６号公報記載の化合物、特開２０１６−６４７５段落番号〔００７３〕〜〔００７５〕に記載された化合物等を用いることができる。
光重合開始剤として使用しうるオキシムエステル化合物の市販品としては、ＩＲＧＡＣＵＲＥ−ＯＸＥ０１（ＢＡＳＦ社製）、ＩＲＧＡＣＵＲＥ−ＯＸＥ０２（ＢＡＳＦ社製）等が挙げられる。
【００７６】
また、カチオン重合を開始させるような開始剤であるカチオン重合開始剤としては、光カチオン重合の光開始剤、色素類の光消色剤、光変色剤、マイクロレジスト等に使用されている公知の酸発生剤等、公知の化合物およびそれらの混合物等が挙げられる。
色素含有層の形成に用いる硬化性組成物に使用し得るカチオン重合開始剤としては、例えば、オニウム化合物、有機ハロゲン化合物、ジスルホン化合物が挙げられる。有機ハロゲン化合物、ジスルホン化合物のこれらの具体例は、上記ラジカルを発生する化合物の記載と同様の化合物が挙げられる。
【００７７】
オニウム化合物としては、ジアゾニウム塩、アンモニウム塩、イミニウム塩、ホスホニウム塩、ヨードニウム塩、スルホニウム塩、アルソニウム塩、セレノニウム塩等が挙げられ、例えば特開２００２−２９１６２号公報の段落番号［００５８］〜［００５９］に記載の化合物等が挙げられる。
【００７８】
重合開始剤は、硬化性組成物に、１種のみ用いてもよく、必要に応じて２種以上を併用してもよい。
重合開始剤の含有量は、硬化性組成物の全固形分に対して０．１質量％〜２０質量％であることが好ましく、０．３質量％〜１５質量％であることがより好ましく、０．４質量％〜１０質量％であることがさらに好ましい。
【００７９】
（粘着剤）
色素含有層は、粘着剤を含有することができる。
色素含有層が粘着剤を含有する場合、色素含有層を形成する硬化性組成物に粘着剤を含有させることで、得られる色素含有層に粘着性を付与することができる。色素含有層が粘着剤を含む場合、色素含有層は粘着層として機能することができる。
粘着剤としては、形成される色素含有層に必要な粘着性を付与できれば、特に制限されず、公知の粘着剤を使用することができる。
粘着剤としては、例えば、アクリル系粘着剤、ゴム系粘着剤、シリコーン系粘着剤などが挙げられる。なお、アクリル系粘着剤とは、（メタ）アクリルモノマーの重合体（（メタ）アクリルポリマー）を含む粘着剤である。アクリル系粘着剤には、既述の重合体が主成分であれば、即ち、例えば、粘着剤全量に対する既述の重合体の含有量が５０質量％以上であれば、他の成分、例えば、後述する粘着付与剤、ゴム成分などが含まれていてもよい。
粘着剤としては、例えば、「剥離紙・剥離フィルムおよび粘着テープの特性評価とその制御技術」、情報機構、２００４年、第２章に記載されているアクリル系粘着剤、ＵＶ硬化型粘着剤、シリコーン粘着剤等が本実施形態にも好適に用いられる。
【００８０】
粘着剤に含まれる（メタ）アクリレートモノマーとしては、炭素数４以上の炭化水素基を有する（メタ）アクリレートモノマーが好ましく、具体的には、例えば、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレート、ｎ−トリデシル（メタ）アクリレート、ｎ−テトラデシル（メタ）アクリレート、ｎ−ヘキサデシル（メタ）アクリレート、ステアリル（メタ）アクリレート、イソボルニル（メタ）アクリレート、ジシクロペンテニル（メタ）アクリレート、ジシクロペンタニル（メタ）アクリレート、ジシクロペンテニルオキシエチル（メタ）アクリレートなどが挙げられる。
【００８１】
粘着剤に使用することができる（メタ）アクリルポリマーは、架橋構造を有していてもよい。架橋構造の形成方法は特に制限されず、２官能（メタ）アクリレートモノマーを使用する方法、（メタ）アクリルポリマーに水酸基などの反応性基を導入し、導入した反応性基と反応する架橋剤と反応させる方法などが挙げられる。
（メタ）アクリルポリマーに水酸基などの反応性基を導入し、導入した反応性基と反応する架橋剤と反応させる方法の具体例としては、水酸基、１級アミノ基および２級アミノ基からなる群より選ばれる１種以上の活性水素を有する基を有する（メタ）アクリレートモノマー由来の繰り返し単位を有する（メタ）アクリルポリマーと、既述のイソシアネート系架橋剤とを反応させて、粘着性を有する色素含有層を作製する方法が挙げられる。
粘着剤と併用される（メタ）アクリレートモノマーは、一つの（メタ）アクリロイル基が含まれる単官能の（メタ）アクリレートモノマーであることが好ましい。
【００８２】
硬化性組成物中に粘着剤を含有させる場合の含有量は、粘着性の発現効果を十分に得られるという観点から、硬化性組成物に含まれる全固形分に対して、１０質量％〜５０質量％が好ましく、１５質量％〜４０質量％がより好ましい。
【００８３】
硬化性組成物が粘着剤を含む場合には、さらに、粘着付与剤が含まれていてもよい。
粘着付与剤としては、貼付剤または貼付製剤の分野で公知のものを適宜選択して用いることができる。
粘着付与剤としては、例えば、芳香族系石油樹脂、脂肪族系石油樹脂、脂肪族／芳香族混成石油樹脂、Ｃ９留分による樹脂などの石油系樹脂；αピネン樹脂、βピネン樹脂、αピネン／βピネン／ジペンテンのいずれかの混合物を共重合して得られる樹脂、テルペンフェノール共重合体、水添テルペンフェノール樹脂、芳香族変性水添テルペン樹脂、アビエチン酸エステル系樹脂等のテルペン系樹脂；部分水素化ガムロジン樹脂、エリトリトール変性木材ロジン樹脂、トール油ロジン樹脂、ウッドロジン樹脂、ガムロジン、ロジン変性マレイン酸樹脂、重合ロジン、ロジンフェノール、ロジンエステル等のロジン系樹脂、クマロンインデンスチレン共重合体等のクマロンインデン樹脂等が挙げられる。
硬化性組成物に粘着付与剤が含まれる場合の粘着付与剤の含有量としては、硬化性組成物に含まれる粘着剤の全質量に対して、１０質量％〜２００質量％であることが好ましく、２０質量％〜１００質量％であることがより好ましい。
【００８４】
硬化性組成物が粘着剤を含む場合、さらに、柔軟化剤としてのゴム成分を含むことができる。
ゴム成分としては、例えば、ポリオレフィンまたは変性ポリオレフィンなどが挙げられる。さらに、ゴム成分としては、例えば、天然ゴム、ポリイソブチレン、変性液状ポリブタジエン、１，４−ブタジエン、１，２−ブタジエンまたはそのコポリマー混合物の重合体などのポリブタジエン、水添ポリイソプレン、水添ポリブタジエン、ポリイソプレン、ポリブテン、スチレンブタジエン共重合体、或いはこれらの群から任意に選ばれた成分を２種以上含む共重合体或いは混合物などが挙げられる。
硬化性組成物に柔軟化剤としてのゴム成分が含まれる場合のゴム成分の含有量としては、硬化性組成物に含まれる粘着剤の全質量に対して、１０質量％〜２００質量％であることが好ましく、２０質量％〜１００質量％であることがより好ましい。
【００８５】
（その他の成分）
色素含有層を形成するための硬化性組成物には、既述の重合性化合物、重合開始剤、および所望によりさらに含まれる粘着剤、粘着付与剤、ゴム成分以外にも、目的に応じて種々の成分を含むことができる。硬化性組成物に含むことができる既述の成分以外の成分を、以下、「他の成分」と称することがある。
他の成分としては、例えば、溶媒、充填剤、硬化性を有しないバインダー樹脂、ノニオン界面活性剤、カチオン界面活性剤、アニオン界面活性剤等の界面活性剤、密着促進剤、酸化防止剤、紫外線吸収剤、凝集防止剤等が挙げられる。また、光重合開始剤の感度を向上させる増感剤、光重合開始剤の安定性に寄与する光安定剤、熱重合禁止剤などを含有してもよい。
【００８６】
（紫外線吸収剤）
硬化性組成物は、紫外線吸収剤を含有してもよい。硬化性組成物が紫外線吸収剤を含有することで、ブルーライト遮断性に加え、さらに紫外線の透過が抑制された色素含有層を形成することができる。
紫外線吸収剤としては、ベンゾトリアゾール系、トリアジン系、ベンゾフェノン系、メロシアニン系、シアニン系、ジベンゾイルメタン系、桂皮酸系、アクリレート系、安息香酸エステル系、シュウ酸ジアミド系、ホルムアミジン系、ベンゾオキサジノン系、ベンゾオキサゾール系、ベンゾジチオール系などから選ばれる紫外線吸収性化合物が挙げられる。本実施形態に使用しうる紫外線吸収剤は、例えば、ファインケミカル、２００４年５月号、２８頁〜３８頁、東レリサーチセンター調査研究部門発行「高分子用機能性添加剤の新展開」（東レリサーチセンター、１９９９年）９６頁〜１４０頁、大勝靖一監修「高分子添加剤の開発と環境対策」（シーエムシー出版、２００３年）５４頁〜６４頁、（株）技術情報協会発行「高分子の劣化・変色メカニズムとその安定化技術−ノウハウ集−」（技術情報協会、２００６年）などに記載されており、既述の文献に記載された化合物から目的に応じて適宜選択することができる。
【００８７】
本開示における硬化性組成物に使用しうる紫外線吸収剤としては、例えば、以下に示す化合物が挙げられる。
ベンゾオキサゾール系化合物としては、例えば、特許第４３１１８６９号公報において、蛍光増白剤として記載される一般式（II)で表される化合物が挙げられる。
ベンゾオキサジノン系化合物としては、例えば、特許第５５９１４５３号公報、及び特許第５２５０２８９号公報に記載の化合物が挙げられる。
メロシアニン系化合物としては、例えば、特開２０１１−１８４４１４号公報に記載の化合物が挙げられる。
ベンゾジチオール系化合物としては、例えば、特許第５４５０９９４号、及び特許第５３６４３１１号公報に記載の化合物が挙げられる。
ベンゾオキサジノン系化合物としては、具体的には、例えば、下記構造のＵＶ−１〜ＵＶ−３等が挙げられる。
【００８８】
【化１２】
2017169370.tif 000014
【００８９】
メロシアニン系化合物としては、具体的には、下記構造のＵＶ−４、ＵＶ−５等が挙げられる。
【００９０】
【化１３】
2017169370.tif 000015
【００９１】
ベンゾオキサゾール系化合物としては、具体的には、下記構造のＵＶ−６、ＵＶ−７等が挙げられる。
【００９２】
【化１４】
2017169370.tif 000016
【００９３】
ベンゾジチオール系化合物として、具体的には、下記構造のＵＶ−８、ＵＶ−９等が挙げられる。
【００９４】
【化１５】
2017169370.tif 000017
【００９５】
硬化性組成物が紫外線吸収剤を含有する場合、１種のみを含んでもよく、２種以上を含んでもよい。
硬化性組成物が紫外線吸収剤を含有する場合の含有量は、用いる紫外線吸収剤により適宜決定される。一般的には、硬化性組成物の全量に対し、０．０１質量％〜２０質量％とすることができる。
【００９６】
（溶媒）
硬化性組成物を塗布液として調製する際には、例えば、溶媒を含むことができる。
溶媒としては、有機溶剤が使用される。溶媒は、硬化性組成物に含まれる各成分の溶解性、硬化性組成物を調整した後に塗布性を満足できれば、特に制限はなく、染料、重合性化合物の溶解性あるいは分散性、塗布液の塗布面状性、取り扱い容易性を考慮して選ばれることが好ましい。
【００９７】
有機溶剤としては、エステル、エーテル、ケトン、芳香族炭化水素等が挙げられる。
エステルとして、例えば、酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、乳酸メチル、乳酸エチル、オキシ酢酸アルキルエステル類（例：オキシ酢酸メチル、オキシ酢酸エチル、オキシ酢酸ブチル（具体的には、メトキシ酢酸メチル、メトキシ酢酸エチル、メトキシ酢酸ブチル、エトキシ酢酸メチル、エトキシ酢酸エチル等が挙げられる。））、３−オキシプロピオン酸アルキルエステル類（例：３−オキシプロピオン酸メチル、３−オキシプロピオン酸エチル等（具体的には、３−メトキシプロピオン酸メチル、３−メトキシプロピオン酸エチル、３−エトキシプロピオン酸メチル、３−エトキシプロピオン酸エチル等が挙げられる。））、２−オキシプロピオン酸アルキルエステル類（例：２−オキシプロピオン酸メチル、２−オキシプロピオン酸エチル、２−オキシプロピオン酸プロピル等（具体的には、２−メトキシプロピオン酸メチル、２−メトキシプロピオン酸エチル、２−メトキシプロピオン酸プロピル、２−エトキシプロピオン酸メチル、２−エトキシプロピオン酸エチル等が挙げられる。））、２−オキシ−２−メチルプロピオン酸メチル、２−オキシ−２−メチルプロピオン酸エチル（具体的には、２−メトキシ−２−メチルプロピオン酸メチル、２−エトキシ−２−メチルプロピオン酸エチル等が挙げられる。）、ピルビン酸メチル、ピルビン酸エチル、ピルビン酸プロピル、アセト酢酸メチル、アセト酢酸エチル、２−オキソブタン酸メチル、２−オキソブタン酸エチル、酢酸シクロヘキシル、プロピオン酸１−メチル−２−メトキシエチル等が挙げられる。
【００９８】
また、エーテルとしては、例えば、ジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテル、プロピレングリコールモノメチルエーテルアセテート（以下、ＰＥＧＭＥＡと称することがある）、ジエチレングリコールモノエチルエーテルアセテート（以下、エチルカルビトールアセテートと称することがある）、ジエチレングリコールモノブチルエーテルアセテート（以下、ブチルカルビトールアセテートと称することがある）、プロピレングリコールモノエチルエーテルアセテート、プロピレングリコールモノプロピルエーテルアセテート等が挙げられる。
ケトンとしては、例えば、メチルエチルケトン、シクロヘキサノン、２−ヘプタノン、３−ヘプタノン等が挙げられる。
芳香族炭化水素としては、例えば、トルエン、キシレン等が好適に挙げられる。
【００９９】
これらの有機溶剤は、硬化性組成物に１種のみ用いてもよく、各成分の溶解性、塗布面状の改良などの観点から、２種以上を併用してもよい。
２種以上を併用する場合には、好ましくは、３−エトキシプロピオン酸メチル、３−エトキシプロピオン酸エチル、エチルセロソルブアセテート、乳酸エチル、ジエチレングリコールジメチルエーテル、酢酸ブチル、３−メトキシプロピオン酸メチル、２−ヘプタノン、シクロヘキサノン、エチルカルビトールアセテート、ブチルカルビトールアセテート、プロピレングリコールメチルエーテル、およびプロピレングリコールメチルエーテルアセテートからなる群より選択される２種以上を含むことが好ましい。
【０１００】
有機溶剤の硬化性組成物中における含有量としては、組成物中の全固形分濃度が１０質量％〜８０質量％になる量が好ましく、１５質量％〜６０質量％になる量がより好ましい。
【０１０１】
＜色素含有層の形成＞
既述の各成分を、溶媒である有機溶剤に溶解して硬化性組成物塗布液を調製し、所望の箇所に塗布し、硬化させることで、色素含有層を形成することができる。即ち、本開示の保護シートにおける色素含有層は、少なくとも特定染料と、重合性化合物と光重合開始剤とを含む硬化性組成物の硬化物であることが好ましい。
色素含有層の厚みは、好ましい特定染料の含有量と可視光透過率を達成する範囲で任意に選択することができる。
色素含有層の厚みは特に制限されないが、例えば、５μｍ〜２５００μｍの範囲とすることができる。色素含有層の厚みは、２０μｍ〜５００μｍであることが好ましい。色素含有層の厚みが既述の範囲であることで、所望のブルーライト遮断性、および可視光透過率が得られ易くなり、且つ、取り扱いも容易である。なお、粘着剤を含む粘着層を兼ねる色素含有層の場合の好ましい厚みも同様である。
色素含有層は、光学的に透明であることが好ましい。色素含有層が光学的に透明とは、全光線透過率が７５％以上であることを意味し、８０％以上が好ましく、８５％以上がより好ましい。
色素含有層においては、例えば、極大吸収波長における可視光透過率が５０％であっても、極大吸収波長以外の波長領域における光透過率がより高いことで、色素含有層は光学的に透明、即ち、色素含有層における全光透過率を上記好ましい範囲とすることができる。
【０１０２】
＜色素含有層の硬化＞
色素含有層形成用の硬化性組成物塗布液を、既述の透明支持体上に塗布して硬化性組成物塗布液層を形成した後、エネルギーを付与して硬化性組成物塗布液層を硬化させ、色素含有層を形成することができる。エネルギー付与としては、光照射、なかでも紫外線照射が好ましく適用できる。
硬化性組成物塗布液層に、例えば、光照射する前に、予め硬化性組成物塗布液に含まれる溶媒を乾燥して溶媒量を減少させることが硬化性向上の観点から好ましい。
乾燥を行なう場合には、公知の方法、例えば、温風を吹き付ける方法、所定の温度に制御された乾燥ゾーンを通過させる方法、搬送ロールに備えられたヒータにて乾燥する方法などが挙げられる。
【０１０３】
エネルギー付与として光照射する場合、例えば、紫外線ランプを用いて行なうことができる。
光照射量としては、１０ｍＪ／ｃｍ２〜１０００ｍＪ／ｃｍ２の範囲であることが好ましい。既述の照射量で紫外線を照射することで、色素含有層の硬化が好適に行なわれる。
紫外線照射を行なう際、酸素による硬化阻害を抑制し、色素含有層の表面硬化をより促進する目的で、紫外線照射領域（以下、硬化ゾーンと称することがある）を窒素ガス等の不活性ガスでパージして酸素濃度を低下することができる。硬化ゾーンの酸素濃度を低下させる際の酸素濃度は０．０１％〜５％が好ましい。
硬化性組成物の硬化反応を促進する目的で、硬化ゾーン内の温度を高めることができる。硬化反応の促進の観点からは、硬化ゾーン内の温度を２５℃〜１００℃とすることが好ましく、３０℃〜８０℃がより好ましく、４０℃〜７０℃がさらに好ましい。
硬化性組成物が粘着剤を含有する場合も、硬化条件は既述と同様の条件とすることができる。
【０１０４】
＜保護シートの構成＞
保護シートは、既述の特定染料を含む限り、その構成に特に制限はない。
染料の含有形態の欄にて述べたように、保護シートの好ましい一態様として、透明支持体と、透明支持体の少なくとも一方の面に配置され、一般式（１）で表される染料および一般式（２）で表される染料からなる群より選択される少なくとも１種の染料を含む色素含有層と、を有する形態を挙げることができる。
【０１０５】
（透明支持体）
保護シートが支持体を有する場合の透明支持体としては、一般的な樹脂フィルムが好適な例として挙げられる。
透明支持体に使用しうる樹脂フィルムを構成する樹脂としては、ポリエチレンテレフタレート（ＰＥＴ）、ポリエチレンナフタレート（ＰＥＮ）、ポリブチレンテレフタレート（ＰＢＴ）、ポリシクロヘキサンジメチレンテレフタレート（ＰＣＴ）等のポリエステル、ポリプロピレン（ＰＰ）、ポリエチレン（ＰＥ）、ポリ塩化ビニル（ＰＶＡ）、トリセルロースアセテート（ＴＡＣ）などが挙げられ、なかでも、汎用性の点で、ＰＥＴが好ましい。
透明支持体は、既述の樹脂を情報によりフィルム状に成形して得ることができる。また、市販の樹脂フィルムを使用することができる。
透明支持体の厚みは、保護シートを適用する画像表示装置の用途、サイズ、強度など、使用目的に応じて適宜選択することができる。一般的には、５μｍ〜２５００μｍであることが好ましく、２０μｍ〜５００μｍであることがより好ましい。
透明支持体とは、光学的に透明な支持体であること意味する。本明細書においては、支持体の全光線透過率が８５％以上であることを意味する。透明支持体の全光透過率は、９０％以上が好ましく、９５％以上がより好ましい。
透明支持体の全光透過率は、以下の方法で測定できる。
透明支持体を、ＵＶ／ｖｉｓスペクトルメーター、例えば、島津製作所社製、ＵＶ／ｖｉｓスペクトルメーターＵＶ３４００、を用いて分光スペクトル測定して、全光透過率を測定することができる。
【０１０６】
既述の硬化性組成物塗布液を、透明支持体に塗布し、硬化させて透明支持体上に色素含有層を形成することができる。
透明支持体と色素含有層との間には、効果を損なわない限り、易接着層などの他の層を有していてもよい。
色素含有層形成用の硬化性組成物塗布液が粘着剤を含有する場合には、透明支持体上に形成された色素含有層が粘着層としても機能する。このため、保護シートをディスプレイに密着させる際には、粘着層を兼ねる色素含有層側をディスプレイ表面に直接接触させて密着させ、ディスプレイ用に保護シートを設けることができる。
【０１０７】
（接着層、粘着層）
色素含有層が粘着剤を含まない場合には、色素含有層の透明支持体とは反対側の面に、さらに接着層または粘着層を有してもよい。
接着層または粘着層に用いる接着剤、粘着剤の種類は特に限定されない。粘着剤としては、既述の硬化性組成物に含有することができる粘着剤を同様に挙げることができる。
接着剤としては、例えば、ウレタン樹脂接着剤、ポリエステル接着剤、アクリル樹脂接着剤、エチレン酢酸ビニル樹脂接着剤、ポリビニルアルコール接着剤、ポリアミド接着剤、シリコーン接着剤等が挙げられる。なかでも、接着強度がより高いという観点から、接着剤としては、ウレタン樹脂接着剤またはシリコーン接着剤が好ましい。
接着剤は市販品を使用することができ、市販品としては、たとえば、東洋インキ（株）製のウレタン樹脂系接着剤（ＬＩＳ−０７３−５０Ｕ：商品名）が挙げられ、接着剤は、硬化剤（ＣＲ−００１：商品名、東洋インキ（株）製）と併用することも好ましい。
保護シートに接着層または粘着層を有する場合の、接着層または粘着層の厚みは、５μｍ〜１００μｍの範囲であることが、粘着力とハンドリング性との両立の点で好ましい。
【０１０８】
（ハードコート層）
本開示の保護シートには、耐傷性向上の観点から、透明支持体に配置された色素含有層の上に、さらにハードコート層を有することができる。
ハードコート層は、画像表示装置に配置された保護シートの最表面に有することが好ましく、ハードコート層を最表面に有することで、保護シートの耐擦傷性がより良好になる。
以下、保護シートが有することができるハードコート層について説明する。
ハードコート層は、ウェット塗布法、ドライ塗布法（真空成膜）のいずれで形成されてもよいが、生産性に優れるウェット塗布法により形成されることが好ましい。
ハードコート層としては、例えば、特開２０１３−４５０４５号公報、特開２０１３−４３３５２号公報、特開２０１２−２３２４５９号公報、特開２０１２−１２８１５７号公報、特開２０１１−１３１４０９号公報、特開２０１１−１３１４０４号公報、特開２０１１−１２６１６２号公報、特開２０１１−７５７０５号公報、特開２００９−２８６９８１号公報、特開２００９−２６３５６７号公報、特開２００９−７５２４８号公報、特開２００７−１６４２０６号公報、特開２００６−９６８１１号公報、特開２００４−７５９７０号公報、特開２００２−１５６５０５号公報、特開２００１−２７２５０３号公報、ＷＯ１２／０１８０８７、ＷＯ１２／０９８９６７、ＷＯ１２／０８６６５９、ＷＯ１１／１０５５９４に記載のハードコート層を使用できる。
本開示の保護シートにハードコート層を設ける場合の厚みは、５μｍ〜１００μｍの範囲であることが、耐擦傷性がより良好となる点で好ましい。
【０１０９】
［画像表示装置］
本開示の画像表示装置は、既述の本開示の保護シートを備える画像表示装置である。
即ち、画像表示装置は、画像表示素子および本実施形態に係る保護シートを含み、保護シートは、画像を表示する画像表示部（例えばディスプレイ）の上、即ち、画像表示部の使用者が目視する側に配置されている。
画像表示装置としては、液晶表示装置（Ｌｉｑｕｉｄ  Ｃｒｙｓｔａｌ  Ｄｉｓｐｌａｙ；ＬＣＤ）、プラズマディスプレイパネル、エレクトロルミネッセンスディスプレイ、陰極管表示装置のような画像表示装置が挙げられる。
また、画像表示装置は、大面積の画像表示装置のみならず、以下に記載するタッチパネルを搭載したスマートフォン、タブレット端末等の各種ディスプレイを有する態様も含まれる。
【０１１０】
液晶表示装置としては、ＴＮ（Ｔｗｉｓｔｅｄ  Ｎｅｍａｔｉｃ）型、ＳＴＮ（Ｓｕｐｅｒ−Ｔｗｉｓｔｅｄ  Ｎｅｍａｔｉｃ）型、ＴＳＴＮ（Ｔｒｉｐｌｅ  Ｓｕｐｅｒ  Ｔｗｉｓｔｅｄ  Ｎｅｍａｔｉｃ）型、マルチドメイン型、ＶＡ（Ｖｅｒｔｉｃａｌ  Ａｌｉｇｎｍｅｎｔ）型、ＩＰＳ（Ｉｎ  Ｐｌａｎｅ  Ｓｗｉｔｃｈｉｎｇ）型、ＯＣＢ（Ｏｐｔｉｃａｌｌｙ  Ｃｏｍｐｅｎｓａｔｅｄ  Ｂｅｎｄ）型等が挙げられる。
画像表示装置は、特に、液晶セルと、液晶セルの少なくとも一方の面に配置された本実施形態に係る保護シートが最表面に配置された液晶表示装置であることが好ましい。この場合、画像表示素子が液晶表示素子である。
【０１１１】
本開示の画像表示装置は、画像表示素子が有機エレクトロルミネッセンス表示素子であることも好ましい。
【０１１２】
（タッチパネル）
本開示の保護シートを適用することができる画像表示装置には、タッチパネルを備えたディスプレイを有する画像表示装置も含まれる。タッチパネルには特に制限はなく、目的に応じて適宜選択することができる。例えば、表面型静電容量式タッチパネル、投影型静電容量式タッチパネル、抵抗膜式タッチパネル等が挙げられる。
なお、タッチパネルは、いわゆるタッチセンサおよびタッチパッドを含む。タッチパネルにおけるタッチパネルセンサー電極部の層構成が、２枚の透明電極を貼合する貼合方式、１枚の基板の両面に透明電極を具備する方式、片面ジャンパー若しくはスルーホール方式、または片面積層方式のいずれでもよい。また投影型静電容量式タッチパネルは、ＤＣ（ｄｉｒｅｃｔ  ｃｕｒｒｅｎｔ）駆動よりも、ＡＣ（ａｌｔｅｒｎａｔｉｎｇ  ｃｕｒｒｅｎｔ）駆動が好ましく、電極への電圧印加時間が少ない駆動方式がより好ましい。
【０１１３】
［眼鏡レンズ］
本開示の眼鏡レンズは、一般式（１）で表される染料および一般式（２）で表される染料からなる群より選択される少なくとも１種の染料（即ち、特定染料）を含む。
【０１１４】
【化１６】
2017169370.tif 000018
【０１１５】
一般式（１）中、Ｒ７１、Ｒ７２、Ｒ７３およびＲ７４は、それぞれ独立に、水素原子、アルキル基、アルコキシ基、アルコキシカルボニル基、カルバモイル基、スルファモイル基、シアノ基、アリール基、またはヘテロアリール基を表す。
【０１１６】
【化１７】
2017169370.tif 000019
【０１１７】
一般式（２）中、Ｒ２１はアルキル基、アリール基、ヘテロ環基、カルボキシル基、アルコキシカルボニル基、アリールオキシカルボニル基、カルバモイル基、またはシアノ基を表す。Ｒ２２は水素原子、ハロゲン原子、アルキル基、アルコキシ基、ヒドロキシ基、アミノ基、カルバモイル基、スルファモイル基、またはアルコキシカルボニル基を表す。Ｒ２２は、Ｒ２２が結合するベンゼン環と５員または６員の縮環を形成してもよい。
ｎは０または１を表し、ｍは１〜５の整数を表す。但し、Ｒ２１およびＲ２２の少なくとも１つは、炭素数４以上のアルキル基である。ｍが２〜５の場合、複数存在するＲ２２は同じであっても互いに異なっていてもよい。
【０１１８】
既述の特定染料は、極大吸収波長が４５０ｎｍ〜５００ｎｍの範囲にあり、極大吸収波長における可視光透過率が６０％未満であることが好ましい。
【０１１９】
本開示の眼鏡レンズが、既述の特定染料を含有することで、少なくとも可視光域のブルーライトを遮断することができ、また、目視の対象である画像、物品等の色再現性が良好となる。
眼鏡レンズに含まれる特定染料は、既述の保護シートに含まれる特定染料と同じであり、好ましい例も同様である。
【０１２０】
＜染料の含有形態、含有量＞
本開示の眼鏡レンズには、既述の特定染料を１種のみ含んでもよく、２種以上を含んでもよい。
特定染料を眼鏡レンズに含有させる形態には特に制限はなく、レンズ基体である透明レンズの少なくとも片面に特定染料を含む色素含有層を有する態様、透明レンズ自体の少なくとも一部に特定染料を含む態様などが挙げられる。
【０１２１】
染料の含有形態の一つとして、レンズ基体である透明レンズと、透明レンズの少なくとも一方の面に配置され、特定染料を含む色素含有層と、を有する態様が挙げられる。
色素含有層は、特定染料と、重合性化合物と、重合開始剤と、を含む硬化性組成物の硬化物であることが好ましい。
本開示の眼鏡レンズが、透明レンズの少なくとも片面に色素含有層を有する形態である場合、用いる透明レンズはガラス製レンズであってもよく、樹脂製レンズであってもよい。
【０１２２】
また、色素含有層がゾルゲル膜であることが、色素含有層の強度、安定性等がより良好である点から好ましい。
ゾルゲル膜とは、ケイ素（Ｓｉ）、チタン（Ｔｉ）、ジルコニウム（Ｚｒ）およびアルミニウム（Ａｌ）からなる群より選ばれる元素のアルコキシド化合物を加水分解および重縮合して得られるゾルゲル硬化物を指す。ゾルゲル膜は、レンズ基材である透明プラスチックレンズとの密着性が良好であり、染料を安定に保持することができ、且つ、膜強度が良好である。さらに、ケイ素のアルコキシド化合物を原料とするゾルゲル膜は、表面の疎水性に優れ、汚れが付き難くなるという利点をも有する。
色素含有層に適用しうるゾルゲル膜としては、例えば、特開２０１３-２２５４６１号公報の段落〔００４２〕〜〔００５４〕に記載されており、特開２０１３-２２５４６１号公報に記載の導電性材料に変えて、特定染料を含有させることで、好適な色素含有層であるゾルゲル膜を形成することができる。
【０１２３】
特定染料を含有する他の好ましい形態として、透明レンズが、特定染料を含む形態が挙げられる。
特定染料を均一、且つ、安定に含有し得るという観点から、特定染料はレンズ基体である透明レンズ自体に含まれることが好ましい。
透明レンズが特定染料を含む形態としては、例えば、透明レンズを構成する材料中に特定染料を含有する態様、眼鏡レンズを特定染料で染色して眼鏡レンズに特定染料を含有させる態様などが挙げられる。
透明レンズが特定染料を含む形態としては、例えば、透明レンズを構成する材料、例えば、樹脂中に特定染料を含有する形態、眼鏡レンズを特定染料により染色して眼鏡レンズに特定染料を含有させる形態などが挙げられる。
透明レンズを染色する際には、透明レンズの少なくとも一部が特定染料により染色されていればよい。例えば、透明レンズ全体が染色された形態であってもよく、透明レンズの表面および表面の近傍のみが染料で染色された形態であってもよい。
【０１２４】
＜眼鏡レンズ用樹脂＞
眼鏡レンズ用樹脂は、屈折率の高い樹脂から選択される。樹脂は、眼鏡レンズに必要な透明性、屈折率、加工性、硬化後の強度などの物性を満たす樹脂であれば、熱可塑性樹脂であっても、熱硬化性樹脂であってもよい。
一般に、樹脂材料に、フッ素以外のハロゲン原子、芳香環、硫黄原子などを導入することで樹脂の屈折率をより高くすることができる。
【０１２５】
眼鏡レンズの形成に用いうる熱可塑性樹脂としては、ポリカーボネート；ポリメチルメタクリレート（ＰＭＭＡ）等のアクリル系樹脂；等から選ばれる１種以上が挙げられる。
眼鏡レンズ用の熱可塑性樹脂は市販品を用いてもよい。市販品としては、例えば、ポリカーボネート樹脂組成物（カリバー２００−１３：商品名、住友ダウ（株））、ジエチレングリコールビスアリルカーボネート樹脂（ＣＲ−３９：商品名、ＰＰＧインダストリー社製）等が挙げられる。
【０１２６】
熱可塑性樹脂を用いて眼鏡レンズを作製する場合、原料樹脂を含む樹脂組成物を、溶融押出し機を用いてペレット状に成形し、得られたペレット状の樹脂を用いて射出成形法などの公知の成形法を適用して眼鏡レンズを作製することができる。
【０１２７】
眼鏡レンズ自体に特定染料を含有させる場合には、原料樹脂と、特定染料と、所望により含むことができる紫外線吸収剤などの添加剤と、を溶融押出し機に投入して溶融混合し、特定染料を含むペレット状の樹脂組成物を得て、得られた樹脂組成物を用いてレンズを成形することで、特定染料を含む眼鏡レンズを得ることができる。
【０１２８】
透明な眼鏡レンズを作製し、特定染料にて染色する場合には、既述の樹脂組成物を調製する際に、特定染料を含有させない樹脂組成物を調製し、これを用いて特定染料を含有しない透明な眼鏡レンズを作製し、その後、特定染料を含む染色槽に、得られた透明なレンズを浸漬して染色することにより、特定染料を含む眼鏡レンズを得ることができる。
【０１２９】
眼鏡レンズの形成に用いうる熱硬化性樹脂としては、ウレタン系樹脂、アリル系樹脂、エピチオ系樹脂等から選ばれる１種以上が挙げられる。より具体的には、樹脂の前駆体モノマーとして、ビス−（２，３−エピチオプロピル）ジスルフィド、ビス（２−メルカプトエチル）スルフィド、チオウレタン樹脂モノマー等が挙げられ、これらの前駆体モノマーを用いて得られた熱硬化性樹脂を眼鏡レンズの形成に用いることができる。
【０１３０】
熱硬化性樹脂を用いて眼鏡レンズを作製する場合、通常は樹脂の前駆体であるモノマーと、重合開始剤又は架橋剤を含有する樹脂組成物を調製し、得られた樹脂組成物をモールド（成形型）内に充填して、加熱して硬化させることで眼鏡レンズを得ることができる。
【０１３１】
眼鏡レンズ自体に特定染料を含有させる場合には、原料となる樹脂前駆体モノマーと、特定染料と、重合開始剤又は架橋剤と、所望により含むことができる紫外線吸収剤などの添加剤と、を混合して特定染料を含む樹脂組成物を得て、得られた樹脂組成物をモールド内に充填して加熱し、硬化させることで、特定染料を含む眼鏡レンズを得ることができる。
【０１３２】
透明な眼鏡レンズを作製し、特定染料にて染色する場合には、既述の樹脂組成物を調製する際に、特定染料を含有させない樹脂組成物を調製し、得られた樹脂組成物をモールド内に充填して、加熱、硬化させて、特定染料を含有しない透明な眼鏡レンズを作製し、その後、特定染料を含む染色槽に、得られた透明なレンズを浸漬して染色することにより、特定染料を含む眼鏡レンズを得ることができる。
【０１３３】
眼鏡レンズ用の熱硬化性樹脂の原料としては市販品を用いてもよい。市販品としては、例えば、チオウレタン樹脂モノマー（ＭＲ−７、ＭＲ−８、ＭＲ−１０、ＭＲ−１７４：以上商品名、三井化学（株））等が挙げられる。
【０１３４】
［眼鏡］
本開示の眼鏡は、既述の本開示の眼鏡レンズを備える。
即ち、本開示の眼鏡は、既述の本開示の眼鏡レンズを適切な眼鏡フレームに装着した構成を有する。
本開示の眼鏡はブルーライト遮断性が良好であることから、画像表示装置のディスプレイを見る作業などを長時間行った場合の眼の疲労の軽減が期待できる。
また、色再現性に優れることから、ブルーライト遮断性が良好であり、且つ、眼鏡レンズを介して対象物を目視にて視認する際に、観察者が色の変化を感じ難い。
【実施例】
【０１３５】
以下に実施例と比較例を挙げて本開示についてさらに具体的に説明する。以下の実施例に示す材料、使用量、割合、処理内容、処理手順等は、本開示の趣旨を逸脱しない限り適宜変更することができる。したがって、本開示の範囲は以下に示す具体例により限定的に解釈されない。【０１３６】
［実施例１］
（色素含有層形成用紫外線硬化性組成物の調製）
以下に記載の紫外線硬化性組成物１の処方に記載の成分を記載の量で混合することにより、紫外線硬化性組成物１を調製した。
（紫外線硬化性組成物１の処方）
一般式（１）で表される染料（例示化合物：Ｙ−１）
〔特定染料〕                                      ０．１質量部
多官能アクリレート（商品名：ＫＡＹＡＲＡＤ  ＰＥＴ−３０、日本化薬（株）製）
〔重合性化合物〕                                    ５０質量部
ＰＥＧＭＥＡ〔有機溶剤〕                          １００質量部
光重合開始剤〔ＩＲＧＡＣＵＲＥ−８１９（ＢＡＳＦ製）〕
１質量部【０１３７】
（保護シートの作製）
得られた紫外線硬化性組成物１を、透明支持体であるポリエチレンテレフタレート（ＰＥＴ）フィルム（厚み：１２５μｍ）上にバー塗布して紫外線硬化性組成物１の塗布層を形成し、塗布層を減圧下８０℃にて５分間乾燥させた。
その後、窒素雰囲気下、室温にて紫外線ランプを用いて１００ｍＷ／ｃｍ２の紫外光を照射して塗布層を硬化させ色素含有層を形成した。
紫外線硬化性組成物塗布層の膜厚は、乾燥後の塗布層の膜厚が特定染料（Ｙ−１）の極大吸収波長における透過率が５０％となる膜厚に調整した。得られた色素含有層に含まれる単位面積当たりの染料の含有量は０．０１７ｍｍｏｌ／ｍ２であった。色素含有層に含まれる染料の単位面積当たりの含有量は既述の方法で測定した。
透明支持体であるポリエチレンテレフタレートフィルムは、下記表１〜表３において「ＰＥＴ」と略記する。【０１３８】
次に、色素含有層の透明支持体とは反対側の面に、シリコーン系粘着剤（ＤＣ７６５２（商品名）、ダウコーニング社製）を乾燥後の膜厚３０μｍとなる量で塗布し、乾燥して粘着層を設け、実施例１の粘着層付き保護シートを得た。
実施例１の保護シートの極大吸収波長を既述の方法で測定し、透明支持体であるＰＥＴフィルムおよび粘着層の吸収性を勘案して色素含有層に含まれる染料の極大吸収波長を算出したところ、４８０ｎｍであり、同様に算出した色素含有層の波長４８０ｎｍにおける可視光透過率は、５０％であった。【０１３９】
（保護シートの評価）
１．ブルーライト遮断性
保護シートを用いて、ＵＶ／ｖｉｓスペクトルメーター（島津製作所（株）製、ＵＶ／ｖｉｓスペクトルメーターＵＶ３４００）を用いて色素含有層に含まれる染料の極大吸収波長における可視光透過率を測定した。色素含有層に含まれる染料が複数である場合は、４８０ｎｍを基準に、４８０ｎｍに最も近い極大吸収波長における可視光透過率を測定した。
本明細書では、この染料の極大吸収波長における可視光透過率をブルーライトの透過率と定義し、測定された透過率が低いほどブルーライト遮断性が良好であると評価する。
ブルーライトの透過率が７０％以下であればブルーライト遮断効果が一定の水準であると評価する。ブルーライトの透過率は６０％未満であれば、ブルーライト遮断効果が良好であると評価し、さらに５０％以下であれば、ブルーライト遮断効果がより良好であると評価する。
測定結果を表１に示す。【０１４０】
２．色相評価
実施例１の保護シートを白い紙上に配置して色味を目視にて評価した。既述の如く、色相が黄色である場合には、画像への影響は少ないと評価する。
評価結果を表１に示す。【０１４１】
３．画像再現性評価
３−１．白色画像の再現性
保護シートを液晶ディスプレイ上に配置して白色画像を表示させ、色味を目視にて評価した。
画像が白色に見えた場合を良好と評価し、白色以外の色に見えた場合には、不良と評価した。
３−２．フルカラー画像の再現性
保護シートを液晶ディスプレイ上に配置してフルカラー画像を表示させ、画像の色再現性を確認した。
目視では、保護シートを配置しない場合に比較してフルカラー画像の違和感が無い場合に画像の色再現性が良好であると評価し、明らかに色味が変化してフルカラー画像の色バランスが変化したことが確認された場合に画像の色再現性が不良であると評価した。
白色画像、フルカラー画像の双方の評価が良好の場合には、「良好」とし、少なくともいずれかの評価結果が不良の場合には、「不良」と判断した。【０１４２】
［実施例２］
実施例１で用いた色素含有層形成用の紫外線硬化性組成物１において用いた一般式（１）で表される染料（例示化合物：Ｙ−１）に代えて、一般式（２）で表される染料（例示化合物：Ｚ−４）を用いた以外は実施例１と同様にして紫外線硬化性組成物を調製し、得られた紫外線硬化性組成物を用いて実施例１と同様にして、実施例２の保護シートを作製し、実施例１と同様に評価した。結果を下記表１に示す。【０１４３】
［実施例３〜実施例９、比較例１〜比較例３］
実施例１で用いた色素含有層形成用の紫外線硬化性組成物１において用いた一般式（１）で表される染料（例示化合物：Ｙ−１）に代えて、下記表１〜表２に記載した染料を用いた以外は実施例１と同様にして保護シートを作製し、実施例１と同様に評価した。
結果を下記表１〜表２に示す。
なお、保護シートの極大吸収波長における光透過率の制御は、用いる紫外線硬化性組成物の塗布量、即ち、色素含有層の硬化後の膜厚を制御する手段により、色素含有層の単位面積当たりの含有させる染料の量を調整することで行なった。色素含有層の膜厚を表１〜表２に記載した。【０１４４】
下記表１、表２および後述する表３における各成分の詳細は以下の通りである。
なお、２種の染料を併用する場合の含有比率は、特定染料：他の染料＝２：１（質量比）である。
染料（Ｃ−１）：オイルブルー  Ｎ（アルドリッチ社製）〔その他の染料：青色〕
染料（Ｈ−１）：Ｓｏｌｖｅｎｔ  Ｙｅｌｌｏｗ  １４（アルドリッチ社製）〔その他の染料：黄色〕
染料（Ｈ−２）：Ｄｉｓｐｅｒｓｅ  Ｏｒａｎｇｅ  １（アルドリッチ社製）〔その他の染料：橙色〕
染料（Ｈ−３）：下記構造の染料〔その他の染料：淡黄色〕【０１４５】
【化１８】
2017169370.tif 000020
【０１４６】
重合性化合物：ＫＡＹＡＲＡＤ  ＴＰＡ３３０（多官能アクリレート、日本化薬（株）製）
光重合開始剤：ＩＲＧＡＣＵＲＥ−８１９（ＢＡＳＦ製）（表１〜表３においては「ＩＲＧ−８１９」と略記する）
光重合開始剤：ＩＲＧＡＣＵＲＥ−ＯＸＥ０１（ＢＡＳＦ社製）（表１〜表３においては「ＯＸＥ−０１」と略記する）
透明支持体：ポリカーボネートフィルム（厚み：１００μｍ）（表１〜表３においては「ＰＣ」と略記する）【０１４７】
【表１】
2017169370.tif 000021
【０１４８】
【表２】
2017169370.tif 000022
【０１４９】
表１〜表２の結果から、特定染料を含む着色剤を備える実施例の保護シートは、いずれもブルーライトの透過性が５０％以下であり、ブルーライト遮断性に優れ、かつ、色味は黄色であり、画像の色再現性も良好であった。
他方、特定染料以外の染料では、黄色染料またはオレンジ色染料を用いた比較例１〜比較例３においては、ブルーライトの遮断性は実施例と同等であったが、保護シートの色味が目視にてオレンジ色、茶色、赤褐色となり、いずれも画像の色再現性に劣っていた。【０１５０】
［実施例１０］
（色素含有層形成用紫外線硬化性組成物２の調製）
ポリイソプレン重合物の無水マレイン酸付加物と２−ヒドロキシエチルメタクリレートとのエステル化物（商品名  ＵＣ２０３、（株）クラレ製、分子量３６０００）
〔硬化性樹脂〕                                    ２１．８質量部
ポリブタジエン（商品名  Ｐｏｌｙｖｅｓｔ１１０、エボニック  ジャパン社製）
〔ゴム成分〕                                      １１．４質量部
ジシクロペンテニルオキシエチルメタクリレート（商品名  ＦＡ５１２Ｍ、日立化成（株）製）
〔粘着剤〕                                              ５質量部
２−エチルヘキシメタクリレート（和光純薬工業（株））  ２０質量部
テルペン系水素添加樹脂（商品名  クリアロンＰ−１３５、
ヤスハラケミカル（株）製）〔粘着付与剤〕          ３８．８質量部
一般式（１）で表される染料（例示化合物：Ｙ−１）
〔特定染料〕                                        ０．１質量部【０１５１】
上記各成分を、１３０℃の恒温槽中で混練機にて混練し、続いて、恒温槽の温度を８０℃に調整し、光重合開始剤（商品名  Ｌｕｃｉｒｉｎ  ＴＰＯ、ＢＡＳＦ社製）０．６質量部、および、光重合開始剤（商品名  ＩＲＧＡＣＵＲＥ−１８４、ＢＡＳＦ社製）２．４質量部を投入し、混練機にて混練し、粘着剤を含有する色素含有層形成用紫外線硬化性組成物２を調製した。【０１５２】
（粘着性を有する色素含有層の作製）
得られた紫外線硬化性組成物２を、実施例１で用いたものと同じ透明支持体であるＰＥＴフィルム（厚み：１２５μｍ）に、硬化後の膜厚が８０μｍとなる量で塗布し、得られた紫外線硬化性組成物２の塗膜の透明支持体とは反対側から、メタルハライドＵＶランプ（フュージョンＵＶシステムズ社製）を用いて、照射エネルギーが１Ｊ／ｃｍ２になる強度の紫外線を照射して硬化させ、粘着性を有する色素含有層が形成された実施例１０の保護シートを得た。
なお、実施例１０では、透明支持体であるＰＥＴフィルムの、紫外線硬化性組成物２を塗布する側の表面に、予めプラズマ表面処理を行なった。
実施例１０の保護シートの粘着剤を含む色素含有層の厚みを、サンコー電子研究所製、膜厚計ＳＷＴ−９０００を用いて測定したところ、厚みは８０μｍであった。【０１５３】
［実施例１１］
実施例１０で用いた色素含有層形成用の紫外線硬化性組成物２により形成された色素含有層の硬化後の厚みを８０μｍから５０μｍに変えた以外は実施例１０と同様にして実施例１１の保護シートを作製した。
得られた保護シートは実施例１と同様に評価した。結果を下記表３に示す。【０１５４】
［比較例４］
実施例１０で用いた色素含有層形成用の紫外線硬化性組成物２において用いた一般式（１）で表される染料（例示化合物：Ｙ−１）に代えて、下記表３に記載した染料を用いた以外は実施例１０と同様にして保護シートを作製し、実施例１と同様に評価した。結果を下記表３に示す。【０１５５】
【表３】
2017169370.tif 000023
【０１５６】
表３の結果から、特定染料と粘着剤とを含む色素含有層、即ち、粘着性を有する色素含有層を備える実施例の保護シートは、いずれもブルーライトの透過率が７０％以下の水準を満たし、なかでも実施例１０はブルーライトの透過性が５０％以下であり、ブルーライト遮断性に優れる。また、いずれの保護シートも色味は黄色であり、画像の色再現性も良好であった。
他方、特定染料以外の染料として黄色染料を用いた比較例４では、ブルーライトの遮断性は実施例と同等であったが、保護シートの色味が目視にてオレンジ色となり、画像の色再現性に劣っていた。【０１５７】
［実施例１２］
（プラスチックレンズの作製）
ポリチオウレタンで形成されたプラスチックレンズを準備した。プラスチックレンズは目視で透明であった。
プラスチックレンズの片方の面上に、実施例１で作製した色素含有層形成用紫外線硬化性組成物１を塗布して、紫外線硬化性組成物１の塗布層を形成した。
紫外線硬化性組成物１の塗布層の膜厚は、乾燥後の塗布層の膜厚が特定染料（Ｙ−１）の極大吸収波長における透過率が５０％となる膜厚に調整した。
形成された塗布層を、１０ｈＰａ（１．０×１０３Ｐａ）の減圧条件下、８０℃にて５分間乾燥させた。その後、窒素雰囲気下、室温にて紫外線ランプを用いて１００ｍＷ／ｃｍ２の紫外光を照射して塗布層を硬化させ、プラスチックレンズの面上に色素含有層を有する眼鏡レンズを得た。
得られた特定染料を含有する色素含有層を備えた実施例１２の眼鏡レンズの色味は、黄色であった。【０１５８】
［実施例１３］
（眼鏡の作製および評価）
実施例１２で作製した眼鏡レンズを眼鏡フレームに装着し、実施例１３の眼鏡を作製した。
評価モニター２名が、得られた眼鏡を装着して、画像表示装置におけるディスプレイを３時間連続して眺めたところ。評価モニターのいずれも、眼の疲労感は感じられないと評価した。
また、眼鏡レンズを介してディスプレイの画像を目視した際に、色味の変化は殆ど感じられないと評価した。【０１５９】
［比較例５］
実施例１２の眼鏡レンズの作製に用いたポリチオウレタンで形成されたプラスチックレンズを準備した。このプラスチックレンズに実施例１２における色素含有層を形成せずに、そのまま眼鏡フレームに装着して、比較例５の眼鏡を作製した。
評価モニター２名が、得られた眼鏡を装着して、画像表示装置におけるディスプレイを実施例１３におけるのと同様の条件で、３時間連続して眺めたところ、評価モニターのいずれも、眼に疲労感が残ると評価した。【０１６０】
実施例１３と比較例５との対比より、実施例１２の眼鏡用レンズを用いた実施例１３の眼鏡は、画像表示装置におけるディスプレイを長時間目視した場合における眼の疲労感が低減されるという効果が確認された。目の疲労感の低減は、実施例１３の眼鏡に装着された特定染料を含有した色素含有層を備えた実施例１２の眼鏡レンズによるブルーライト遮断性が良好なことに起因する効果であると考えられる。【０１６１】
［実施例１４］
（プラスチックレンズの作製）
実施例１で作製した紫外線硬化性組成物１  １００質量部に対して、さらに、下記構造の紫外線吸収剤ＵＶ−１を１質量部加えた色素含有層形成用の紫外線硬化性組成物３を作製した。
得られた紫外線硬化性組成物３を用いて、実施例１２と同様の操作によりプラスチックレンズを作製した。このレンズの色味は、黄色であった。【０１６２】
【化１９】
2017169370.tif 000024
【０１６３】
（眼鏡の作製および評価）
次に、作製した眼鏡レンズを眼鏡フレームに装着し、実施例１４の眼鏡を作製した。
評価モニター２名が、得られた眼鏡を装着して、画像表示装置におけるディスプレイを３時間連続して眺めたところ、実施例１３と同様に、評価モニターのいずれも、眼の疲労感は感じられないと評価した。
また、評価モニターのいずれも、眼鏡レンズを介してディスプレイの画像を目視した際に、色味の変化は殆ど感じられないと評価した。【０１６４】
[実施例１５]
実施例１４で用いた色素含有層形成用の紫外線硬化性組成物３における紫外線吸収剤ＵＶ−１を、下記構造の紫外線吸収剤ＵＶ−３に変更した以外は、実施例１４と同様の操作によりプラスチックレンズ（眼鏡レンズ）を作製した。得られたレンズの色味は、黄色であった。
得られた眼鏡レンズを眼鏡フレームに装着し、眼鏡を作製し、実施例１４と同様の評価を行った。その結果、眼鏡を装着した評価モニターのいずれも、眼の疲労感は感じられないと評価した。また、評価モニターのいずれも、眼鏡レンズを介してディスプレイの画像を目視した際に、色味の変化は殆ど感じられないと評価した。【０１６５】
【化２０】
2017169370.tif 000025
【０１６６】
[実施例１６]
実施例１４で用いた色素含有層形成用の紫外線硬化性組成物３における紫外線吸収剤ＵＶ−１を、下記構造の紫外線吸収剤ＵＶ−４に変更した以外は、実施例１４と同様の操作によりプラスチックレンズを作製した。得られたレンズの色味は、黄色であった。
得られた眼鏡レンズを眼鏡フレームに装着し、眼鏡を作製し、実施例１４と同様の評価を行った。その結果、眼鏡を装着した評価モニターのいずれも、眼の疲労感は感じられないと評価した。また、評価モニターのいずれも、眼鏡レンズを介してディスプレイの画像を目視した際に、色味の変化は殆ど感じられないと評価した。【０１６７】
【化２１】
2017169370.tif 000026
【０１６８】
[実施例１７]
実施例１４で用いた色素含有層形成用の紫外線硬化性組成物３における紫外線吸収剤ＵＶ−１を、下記構造の紫外線吸収剤ＵＶ−６に変更した以外は、実施例１４と同様の操作によりプラスチックレンズ（眼鏡レンズ）を作製した。得られたレンズの色味は、黄色であった。
得られた眼鏡レンズを眼鏡フレームに装着し、眼鏡を作製し、実施例１４と同様の評価を行った。その結果、眼鏡を装着した評価モニターのいずれも、眼の疲労感は感じられないと評価した。また、評価モニターのいずれも、眼鏡レンズを介してディスプレイの画像を目視した際に、色味の変化は殆ど感じられないと評価した。【０１６９】
【化２２】
2017169370.tif 000027
【０１７０】
[実施例１８]
実施例１４で用いた色素含有層形成用の紫外線硬化性組成物３における紫外線吸収剤ＵＶ−１を、下記構造の紫外線吸収剤ＵＶ−９に変更した以外は、実施例１４と同様の操作によりプラスチックレンズ（眼鏡レンズ）を作製した。得られたレンズの色味は、黄色であった。
得られた眼鏡レンズを眼鏡フレームに装着し、眼鏡を作製し、実施例１４と同様の評価を行った。その結果、眼鏡を装着した評価モニターのいずれも、眼の疲労感は感じられないと評価した。また、評価モニターのいずれも、眼鏡レンズを介してディスプレイの画像を目視した際に、色味の変化は殆ど感じられないと評価した。【０１７１】
【化２３】
2017169370.tif 000028
【０１７２】
実施例１４〜実施例１８の評価結果より、実施例の各眼鏡レンズを装着した眼鏡を用いた場合、ディスプレイの表示画像を３時間に亘り観察した場合においても目の疲労感が感じられないことが確認された。このことから、眼鏡レンズの形成に使用される樹脂組成物が本開示に係る特定染料を含むため、併用される紫外線吸収剤の種類を変えても、眼鏡レンズによるブルーライト遮断性が良好であることが確認できた。さらに、眼鏡レンズは、ブルーライト遮断性が良好であっても、画像の色味の変化が観察されず、実施例の眼鏡レンズは、眼鏡に適用した場合の性能が良好であることが裏付けられた。【０１７３】
［実施例１９］
ポリカーボネート樹脂組成物（カリバー２００−１３：商品名、住友ダウ（株））１００質量部、特定染料（Ｙ−１）０．００１質量部、及び下記構造の紫外線吸収剤ＵＶ−２  ０．１質量部を混合し、単軸押出機によりペレット状の樹脂組成物とした。
次に、得られたペレット条の樹脂組成物を、射出成形機（ＳＧ−５０：製品名、住友重機械工業（株）製）により、レンズ形状に成形してプラスチックレンズ（眼鏡レンズ）を得た。得られたレンズの色味は、黄色であった。
得られた眼鏡レンズを眼鏡フレームに装着し、眼鏡を作製し、実施例１４と同様の評価を行った。その結果、眼鏡を装着した評価モニターのいずれも、眼の疲労感は感じられないと評価した。また、評価モニターのいずれも、眼鏡レンズを介してディスプレイの画像を目視した際に、色味の変化は殆ど感じられないと評価した。【０１７４】
【化２４】
2017169370.tif 000029
【０１７５】
［実施例２０］
チオウレタン樹脂モノマー（ＭＲ−８：商品名、三井化学（株））１００質量部、特定染料（Ｙ−１）０．００１質量部、下記構造の紫外線吸収剤ＵＶ−４  ０．１質量部、及び硬化剤としてのジブチルすずジクロリド０．０１質量部を混合し、モールドに充填して、１３０℃で２時間加熱して、重合硬化させ、プラスチックレンズ（眼鏡レンズ）を得た。得られたレンズの色味は、黄色であった。
得られた眼鏡レンズを眼鏡フレームに装着し、眼鏡を作製し、実施例１４と同様の評価を行った。その結果、眼鏡を装着した評価モニターのいずれも、眼の疲労感は感じられないと評価した。また、評価モニターのいずれも、眼鏡レンズを介してディスプレイの画像を目視した際に、色味の変化は殆ど感じられないと評価した。【０１７６】
【化２５】
2017169370.tif 000030
【０１７７】
［実施例２１］
ジエチレングリコールビスアリルカーボネート樹脂（ＣＲ−３９：商品名、ＰＰＧインダストリー社製）１００質量部、特定染料（Ｙ−４）０．００１質量部、及び上記構造の紫外線吸収剤０．１質量部を混合し、単軸押出機によりペレット状樹脂組成物を得た。次に、得られたペレット状樹脂組成物を、射出成形機に投入し、レンズ形状に成形してプラスチックレンズ（眼鏡レンズ）を得た。得られたレンズの色味は、黄色であった。
得られた眼鏡レンズを眼鏡フレームに装着し、眼鏡を作製し、実施例１４と同様の評価を行った。その結果、評価モニターのいずれも、眼の疲労感は感じられないと評価した。また、評価モニターのいずれも、眼鏡レンズを介してディスプレイの画像を目視した際に、色味の変化は殆ど感じられないと評価した。【０１７８】
［実施例２２］
ビス−（２，３−エピチオプロピル）ジスルフィドを９０質量部、ビス（２−メルカプトエチル）スルフィド１０質量部、特定染料（Ｙ−４）０．００１質量部、及び上記構造の紫外線吸収剤ＵＶ−１  ０．１質量部を混合し、混合物をモールドに充填し、モールド中で、１２０℃で３時間加熱して、重合硬化させ、プラスチックレンズ（眼鏡レンズ）を得た。得られたレンズの色味は、黄色であった。
得られた眼鏡レンズを眼鏡フレームに装着し、眼鏡を作製し、実施例１４と同様の評価を行った。その結果、眼鏡を装着した評価モニターのいずれも、眼の疲労感は感じられないと評価した。また、評価モニターのいずれも、眼鏡レンズを介してディスプレイの画像を目視した際に、色味の変化は殆ど感じられないと評価した。【０１７９】
実施例１９〜実施例２２の評価結果より、実施例の各眼鏡レンズを装着した眼鏡を用いた場合、ディスプレイの表示画像を３時間に亘り観察した場合においても目の疲労感が感じられないことが確認された。
このことから、眼鏡レンズの形成に使用される樹脂組成物における樹脂が本開示に係る特定染料を含むため、基材としての樹脂材料の種類が高分子化合物である熱可塑性樹脂材料であって、レンズを射出成形により得た場合でも、樹脂材料が樹脂前駆体であるモノマーであって、レンズをモールド成形により得た熱硬化性樹脂である場合でも、得られた眼鏡レンズによるブルーライト遮断性が良好であることが確認できた。
さらに、本開示の眼鏡レンズは、ブルーライト遮断性が良好であっても、画像の色味の変化が観察されなかった。
従って、眼鏡レンズ形成用に汎用される各種樹脂を用いた実施例１９〜実施例２２の眼鏡レンズは、いずれも、眼鏡に適用した場合の性能が良好であることがわかる。【０１８０】
２０１６年３月２９日に出願された日本国特許２０１６−０６６８１２、２０１６年８月３１日に出願された日本国特許２０１６−１６９８４２及び２０１６年１０月２８日に出願された日本国特許２０１６−２１２２５７の開示は参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【国際調査報告】
2017169370.tif 000036
2017169370.tif 000037
2017169370.tif 000038
2017169370.tif 000039